(57)【要約】      （修正有）【課題】内視鏡関連データを書換え可能に記憶でき、管理もし易く、内視鏡及び周辺装置も小型化できる内視鏡及び内視鏡システムを提供する。【解決手段】内視鏡２と、内視鏡関連データの送受信を行うと共に内視鏡画像信号の受信機能を備える第１周辺装置３Ａと、前記通信機能は備えない一方、前記受信機能を備える第２周辺装置３Ｂと、を備えた内視鏡システムであって、内視鏡に第１周辺装置が接続された際には、当該第１周辺装置から入力されるコマンドに基づいて内視鏡の通電を検知して記憶部の内視鏡関連データを書き換え、内視鏡に第２周辺装置が接続された際には、当該第２周辺装置と接続したことに基づいて当該内視鏡が通電したことを検知して記憶部の内視鏡関連データを書き換える。【選択図】図１
2008149125.tif 000002
【特許請求の範囲】
【請求項１】
被検体内に挿入して内視鏡検査を行うための内視鏡と、
前記内視鏡に設けられ、当該内視鏡に関する内視鏡関連データを記憶するための、書き換え可能な不揮発性メモリにより構成された記憶部と、
前記内視鏡に設けられ、前記記憶部に記憶された前記内視鏡関連データの読み出し及び書き換えを制御する内視鏡関連データ読出書換手段と、
前記内視鏡と接続可能に構成され、当該内視鏡との間で前記内視鏡関連データおよび前記データ読出書換手段を制御するためのコマンドの送受信を行う通信機能を備えると共に、当該内視鏡において撮像された所定の内視鏡画像信号の受信機能を備える第１周辺装置と、
前記内視鏡と接続可能に構成され、前記通信機能は備えない一方、前記受信機能を備える第２周辺装置と、
を備えた内視鏡システムであって、
前記内視鏡は、前記第１周辺装置との間で前記内視鏡関連データおよび前記コマンドの送受信を行うための通信部を備え、
前記内視鏡関連データ読出書換手段は、前記内視鏡に前記第１周辺装置が接続された際には、前記通信部を介して当該第１周辺装置から入力される前記コマンドに基づいて前記内視鏡が通電したことを検知し、当該検知結果に応じて前記記憶部に記憶される所定の内視鏡関連データを書き換えると共に、前記内視鏡に前記第２周辺装置が接続された際には、当該第２周辺装置と接続したことに基づいて当該内視鏡が通電したことを検知し、当該検知結果に応じて前記記憶部に記憶される所定の内視鏡関連データを書き換えることを特徴とする内視鏡システム。
【請求項２】
前記第１周辺装置は、前記内視鏡関連データ読出書換手段による前記内視鏡関連データの書き換えのための情報を入力するための操作手段を備えることを特徴とする請求項１に記載の内視鏡システム。
【請求項３】
前記第１周辺装置は、前記内視鏡において撮像された所定の内視鏡画像に対して所定の画像処理を行う画像処理装置であることを特徴とする請求項１または２に記載の内視鏡システム。
【請求項４】
前記第２周辺装置は、前記内視鏡において撮像された所定の内視鏡画像に対して所定の画像処理を行う画像処理装置であることを特徴とする請求項１−３のいずれか一項に記載の内視鏡システム。
【請求項５】
前記内視鏡関連データは、当該内視鏡の所定の検査に係る検査日、検査施設または保証期期限に係るデータを含むことを特徴とする請求項１−４のいずれか一項に記載の内視鏡システム。
【請求項６】
前記内視鏡関連データ読出書換手段は、前記内視鏡に前記第１周辺装置が接続された際には、前記通信部を介して当該第１周辺装置から入力される前記コマンドに基づいて前記内視鏡が通電したことを検知し、当該検知結果に応じて前記記憶部に記憶される当該内視鏡の通電回数をカウントしたカウントデータを書き換えると共に、前記内視鏡に前記第２周辺装置が接続された際には、当該周辺装置が接続されてから所定時間が経過したことに基づいて当該内視鏡が通電したことを検知し、当該検知結果に応じて前記カウントデータを書き換えることを特徴とする請求項１−５のいずれか一項に記載の内視鏡システム。
【請求項７】
被検体内に挿入して内視鏡検査を行うための内視鏡であって、
当該内視鏡に関する内視鏡関連データを記憶するための、書き換え可能な不揮発性メモリにより構成された記憶部と、
前記記憶部に記憶された前記内視鏡関連データの読み出し及び書き換えを制御する内視鏡関連データ読出書換手段と、
前記内視鏡と接続可能に構成された第１周辺装置であって、当該内視鏡との間で前記内視鏡関連データおよび前記データ読出書換手段を制御するためのコマンドの送受信を行う通信機能を備えると共に、当該内視鏡において撮像された所定の内視鏡画像信号の受信機能を備える第１周辺装置との間で前記内視鏡関連データおよび前記コマンドの送受信を行うための通信部と、
を備え、
前記内視鏡関連データ読出書換手段は、
当該内視鏡に前記第１周辺装置が接続された際には、前記通信部を介して前記第１周辺装置から入力される前記コマンドに基づいて当該内視鏡が通電したことを検知し、当該検知結果に応じて前記記憶部に記憶される所定の内視鏡関連データを書き換えると共に、
当該内視鏡に、当該内視鏡と接続可能に構成され前記通信機能は備えない一方で前記受信機能を備える第２周辺装置が接続された際には、当該第２周辺装置と接続したことに基づいて当該内視鏡が通電したことを検知し、当該検知結果に応じて前記記憶部に記憶される所定の内視鏡関連データを書き換える
ことを特徴とする内視鏡。
【発明の詳細な説明】
【技術分野】
【０００１】
本発明は画像処理装置等の周辺装置とを接続して内視鏡検査等を行う内視鏡および内視鏡システムに関する。
【背景技術】
【０００２】
近年、内視鏡内に内視鏡関連データを付与する内視鏡システムが提案されている。
【０００３】
例えば、特開昭６３−２７１２１７では、内視鏡（スコープ）に付与されているスコープ識別情報及び前記スコープ識別情報を認識するスコープ認識手段を有し、光源部からの光量をスコープ認識情報毎に制御する光量制御手段を具備する事を特徴とする。
【０００４】
一方、特公第２７１３８４０号では、電子内視鏡に電子内視鏡を識別する識別部を設け、信号処理装置には電子内視鏡の識別部を認識する識別手段と、電子内視鏡に関連するホワイトバランス設定値を個々の電子内視鏡に対応させて記憶する記憶手段を有する電子内視鏡システムが開示されている。
【発明の開示】
【発明が解決しようとする課題】
【０００５】
しかし、前述した従来例においては、内視鏡に付与される情報（スコープ識別情報）は書き換え可能ではないため、初検査日、施設名、ユーザコメントデータなどのように書き換えを行う内視鏡関連データについては対応する事ができない。
【０００６】
また、内視鏡と接続する周辺装置との間で行われる、内視鏡に付与される情報の認識処理は、一線式のシリアルインターフェースで行われてないため、内視鏡側及び周辺装置側の認識処理部の構成が大きくなり、その結果周辺装置の大型化につながり、ユーザには扱いにくくなるという問題があった。
【０００７】
本発明は、上述した点に鑑みてなされたもので、内視鏡関連データを書換え可能に記憶でき、管理もし易く、内視鏡及び周辺装置の小型化が可能な、内視鏡および内視鏡システムを提供することを目的とする。
【課題を解決するための手段】
【０００８】
本発明の内視鏡システムは、被検体内に挿入して内視鏡検査を行うための内視鏡と、前記内視鏡に設けられ、当該内視鏡に関する内視鏡関連データを記憶するための、書き換え可能な不揮発性メモリにより構成された記憶部と、前記内視鏡に設けられ、前記記憶部に記憶された前記内視鏡関連データの読み出し及び書き換えを制御する内視鏡関連データ読出書換手段と、前記内視鏡と接続可能に構成され、当該内視鏡との間で前記内視鏡関連データおよび前記データ読出書換手段を制御するためのコマンドの送受信を行う通信機能を備えると共に、当該内視鏡において撮像された所定の内視鏡画像信号の受信機能を備える第１周辺装置と、前記内視鏡と接続可能に構成され、前記通信機能は備えない一方、前記受信機能を備える第２周辺装置と、を備えた内視鏡システムであって、
前記内視鏡は、前記第１周辺装置との間で前記内視鏡関連データおよび前記コマンドの送受信を行うための通信部を備え、
前記内視鏡関連データ読出書換手段は、前記内視鏡に前記第１周辺装置が接続された際には、前記通信部を介して当該第１周辺装置から入力される前記コマンドに基づいて前記内視鏡が通電したことを検知し、当該検知結果に応じて前記記憶部に記憶される所定の内視鏡関連データを書き換えると共に、前記内視鏡に前記第２周辺装置が接続された際には、当該第２周辺装置と接続したことに基づいて当該内視鏡が通電したことを検知し、当該検知結果に応じて前記記憶部に記憶される所定の内視鏡関連データを書き換えることを特徴とする。
【０００９】
本発明の内視鏡は、被検体内に挿入して内視鏡検査を行うための内視鏡であって、当該内視鏡に関する内視鏡関連データを記憶するための、書き換え可能な不揮発性メモリにより構成された記憶部と、前記記憶部に記憶された前記内視鏡関連データの読み出し及び書き換えを制御する内視鏡関連データ読出書換手段と、前記内視鏡と接続可能に構成された第１周辺装置であって、当該内視鏡との間で前記内視鏡関連データおよび前記データ読出書換手段を制御するためのコマンドの送受信を行う通信機能を備えると共に、当該内視鏡において撮像された所定の内視鏡画像信号の受信機能を備える第１周辺装置との間で前記内視鏡関連データおよび前記コマンドの送受信を行うための通信部と、を備え、
前記内視鏡関連データ読出書換手段は、当該内視鏡に前記第１周辺装置が接続された際には、前記通信部を介して前記第１周辺装置から入力される前記コマンドに基づいて当該内視鏡が通電したことを検知し、当該検知結果に応じて前記記憶部に記憶される所定の内視鏡関連データを書き換えると共に、当該内視鏡に、当該内視鏡と接続可能に構成され前記通信機能は備えない一方で前記受信機能を備える第２周辺装置が接続された際には、当該第２周辺装置と接続したことに基づいて当該内視鏡が通電したことを検知し、当該検知結果に応じて前記記憶部に記憶される所定の内視鏡関連データを書き換えることを特徴とする。
【発明の効果】
【００１０】
本発明によれば、内視鏡関連データを書換え可能に記憶でき、管理もし易く、内視鏡及び周辺装置の小型化が可能な、内視鏡および内視鏡システムを提供することができる。
【発明を実施するための最良の形態】
【００１１】
以下、図面を参照して本発明の実施の形態を説明する。
【００１２】
（第１の実施の形態）
図１ないし図３７は本発明の第１の実施の形態に係り、図１は本発明の第１の実施の形態の内視鏡システムの全体構成の概略を示すブロック図、図２は電子内視鏡及び通信機能を備えた画像処理装置の詳細を示すブロック図、図３及び図３４はセレクタ２２、７４の構成例を示す回路図、図４は通信データのフォーマット及びその通信データの内容を示す図、図５は接続装置（接続された周辺装置）が内視鏡内の不揮発性メモリへ書込み（クリア）処理を行う場合の接続装置側の動作を示すフローチャート図、図６は図５の場合における内視鏡側の動作を示すフローチャート図、図７は内視鏡内の不揮発性メモリに格納されるデータ部及びバックアップデータ部をそれぞれ構成する領域及び各領域の内容を示す図、図８は図６のメモリ書込み（クリア）処理の動作を示すフローチャート図、図９はデータ部のメモリ書込み（クリア）処理の動作を示すフローチャート図、図１０はバックアップデータ部のメモリ書込み（クリア）処理の動作を示すフローチャート図、図１１は接続装置が内視鏡内の不揮発性メモリへ読み出し処理を行う場合の接続装置側の動作を示すフローチャート図、図１２は接続装置が内視鏡内の不揮発性メモリへ読み出し処理を行う場合の内視鏡側の動作を示すフローチャート図、図１３は図１２内のメモリ読み出し処理の動作を示すフローチャート図、図１４はデータ部の読み出し処理の動作を示すフローチャート図、図１５はバックアップデータ部の読み出し処理の動作を示すフローチャート図、図１６は接続装置が内視鏡内の不揮発性メモリへ書込み許可処理及び書込み許可後の書込み処理を行う場合の接続装置側の動作を示すフローチャート図、図１７は接続装置が内視鏡内の不揮発性メモリへ書込み許可処理及び書込み許可後の書込み処理を行う場合の内視鏡側の動作を示すフローチャート図、図１８は書込み許可後に接続装置から送信され内視鏡側で受信したコマンドに対する内視鏡側の処理動作を示すフローチャート図、図１９は接続装置が内視鏡内の不揮発性メモリへカウント処理を行う場合の接続装置側の動作を示すフローチャート図、図２０は接続装置が内視鏡内の不揮発性メモリへカウント処理を行う場合の内視鏡側の動作を示すフローチャート図、図２１は図２０のメモリカウント処理の動作を示すフローチャート図、図２２は内視鏡内で自動的にカウント処理を行う場合の内視鏡の動作を示すフローチャート図、図２３は内視鏡内で洗浄関連情報を自動的にクリアする場合の処理動作を示すフローチャート図、図２４は不揮発性メモリに書き込まれる内視鏡関連データの種類及びその内容を示す図、図２５は初検査日又は施設名又は保証期限を読み出した時の接続装置の処理を示すフローチャート図、図２６は点検時期である事を示すモニタの表示方法の一例を示す図、図２７は内視鏡関連データの一部又は全部をモニタに表示し、又は画像記録装置ファイリング装置に記録する処理を示すフローチャート図、図２８はモニタの表示方法の一例を示す図、図２９は内視鏡と通信する通信機能を有する画像処理装置又はファイリング装置が接続された場合の浄関連情報に関する処理を示すフローチャート図、図３０は内視鏡に通信機能を有する洗浄装置が接続された場合の浄関連情報に関する処理を示すフローチャート図、図３１はユーザ関連データについての接続装置の処理を示すフローチャート図、図３２はユーザ関連データの表示方法の一例を示す図、図３３は書込み許可を行う際の接続装置の処理を示すフローチャート図、図３５はカウント処理に関する接続装置の処理を示すフローチャート図、図３６は前検査時刻の読み出し、書き込み処理についての接続装置の処理を示すフローチャート図、図３７はモニタの表示方法の１例を示す図である。
【００１３】
図１に示す本発明の１実施の形態の内視鏡システム１は内視鏡２と、この内視鏡２とそれぞれ選択的に接続されて使用される接続装置（或いは周辺装置）としての、（内視鏡２と通信する）通信機能を有する画像処理装置３Ａと、（内視鏡２と通信する）通信機能を有しない画像処理装置３Ｂと、（内視鏡２と通信する）通信機能を有する洗浄装置３Ｃと、（内視鏡２と通信する）通信機能を有するファイリング装置３Ｄと、前記画像処理装置３Ａとそれぞれ接続されたモニタ４ａと、画像記録装置と５ａ、ファイリング装置６ａと、前記画像処理装置３Ｂとそれぞれ接続されたモニタ４ｂと、画像記録装置と５ｂ、ファイリング装置６ｂと、前記洗浄装置３Ｃに接続されたファイリング装置６ｃと、前記ファイリング装置３Ｄに接続されたモニタ４ｄとから構成される。  
内視鏡２は通信する通信機能（通信部）７と情報を書き換え可能で記憶する記憶部８とを有する。また、後述するようにこの通信機能７をシリアルインタフェース手段で構成することにより、信号伝送用の信号線を削減すると共に、接続するコネクタピンの本数を削減して内視鏡２を軽量かつ小型化して良好な操作性を確保するようにしている。
【００１４】
例えば内視鏡２に通信機能を備えた画像処理装置３Ａを接続した内視鏡装置では、内視鏡２で撮像された内視鏡画像は画像処理装置３Ａで画像処理され、モニタ４ａに表示して被検体内を内視鏡検査できるようにすると共に、内視鏡画像を画像記録装置（プリンタ、ＶＴＲなど）５ａに記録可能とし、またファイリング装置６ａで内視鏡画像又は内視鏡関連データの記録、読み出し、管理などを行うことができるようにしている。  
また、内視鏡２との通信処理により、内視鏡２内の記憶部内の内視鏡関連データの読み出し、書込み、その他のコマンド処理を行う（詳細は後述する）。
【００１５】
また、内視鏡２に画像処理装置３Ｂを接続した内視鏡装置では、内視鏡２で撮像された内視鏡画像は画像処理装置３Ｂで画像処理され、モニタ４ｂに表示し、画像記録装置（プリンタ、ＶＴＲなど）５ｂに記録し、ファイリング装置６ｂで内視鏡画像又は内視鏡関連データの記録、読み出し、管理などを行う。但し、画像処理装置３Ｂは内視鏡２との通信機能を有さない為、通信処理は行わない。
【００１６】
また、内視鏡２に洗浄装置３Ｃを接続した場合には、洗浄装置３Ｃは内視鏡２との通信処理を行うと共に、内視鏡２の洗浄処理を行う。また、ファイリング装置６ｃで内視鏡関連データの記録、読み出し、管理などを行う。
【００１７】
また、内視鏡２にファリング装置３Ｄを接続した場合には、内視鏡２との通信処理により、内視鏡２内の記憶部内の内視鏡関連データの読み出し、書込み、その他のコマンド処理、複数の内視鏡２に対する内視鏡毎の内視鏡関連データの管理、及び内視鏡関連データのモニタ４ｄへの表示を行う。
【００１８】
なお、本実施の形態に示すように、ファイリング装置が、接続装置毎に用意される他、１つのファイリング装置が複数の接続装置（３Ａ、３Ｂ、３Ｃ）と、例えばネットワークを介して接続可能であり、複数の内視鏡２の情報を一括して記録、管理してもよい。また、ファイリング装置６ａ、６ｂ、６ｃは、例えばネットワークで相互接続され、お互いの内視鏡関連データを読み出し、書込み、管理してもよい。
【００１９】
図２は、本実施の形態において内視鏡２及び通信機能を備えた画像処理装置３Ａの詳細な構成を示すブロック図である。  
この内視鏡２は電子内視鏡で構成され、被検体内に挿入される細長の挿入部１１を有し、この挿入部１１内にはライトガイド１２が挿通され、このライトガイド１２の後端は光源装置１３に着脱自在で接続され、この光源装置１３内部のランプで発生した照明光をライトガイド１２で伝送し、挿入部１１の先端部１４の照明窓に取り付けられたライトガイド先端部から前方に出射し、被検体内の患部等の被写体を照明する。
【００２０】
照明された被写体は先端部１４の観察窓に取り付けた対物レンズ１６によりその結像位置に配置された固体撮像素子としての例えば電荷結合素子（ＣＣＤと略記））１７に結像し、このＣＣＤ１７により光電変換される。
【００２１】
この内視鏡２の挿入部１１の後端側には画像処理装置３Ａ内のＣＣＤ駆動電源１８から供給されたＣＣＤ駆動電圧を所望の電圧に変換するレギュレータ１９、内視鏡関連データを記憶保持するＥＥＰＲＯＭ又はフラッシュＲＯＭ又はＦＲＡＭ又はＭＲＡＭなどの書き換え可能な不揮発性メモリ２０、前記内視鏡関連データを画像処理装置３Ａにシリアルインタフェースで送受信する通信処理と、前記内視鏡関連データを前記不揮発性メモリ２０に書き込み又は読み出しなどを行う処理など、複数の演算処理を行い、ＲＯＭ、ＲＡＭ、ウォッチドッグタイマ（ＷＤＴ）、シリアルコントローラ（ＳＩＯ）、パラレルコントローラ（ＰＩＯ）、カウンタ（ＣＴＣ）などを内蔵したワンチップマイコンで構成されたＣＰＵ２１、前記内視鏡関連データを１本の信号線４９で送受信を行うためのシリアルインタフェース手段を構成するセレクタ（ＳＥＬ）２２、ＣＰＵ２１及び不揮発性メモリ２０の誤動作を防ぐため、電源電圧の変動、低下を検出してリセット信号を出力する電源電圧検出器２３、スコープスイッチ２４及びコネクタ２５などが設けてある。
【００２２】
又、上記内視鏡２のコネクタ２５はケーブル２６を介して画像処理装置３Ａのコネクタ２７と接続される。  
この画像処理装置３Ａには、内視鏡２内のＣＣＤ１７に電圧を供給するためのＣＣＤ駆動電源１８、前記ＣＣＤ１７により光電変換された映像信号の画像処理を行う映像信号処理回路２８、複数の演算処理を行うＣＰＵ２９、このＣＰＵ２９を動作させるプログラム及び前記内視鏡２からシリアルデータで送信された内視鏡関連データを記憶保持する書き換え可能なＥＥＰＲＯＭ又はフラッシュＲＯＭなどで構成されたＲＯＭ３０、演算用メモリ又は前記シリアルデータで送信された内視鏡関連データを一時的に記憶保持するメモリとしてのＲＡＭ３１、内視鏡２に内視鏡関連データをシリアルインターフェースで通信するために、シリアルデータに変換して送受信を行うシリアルコントローラ（ＳＩＯ）３２、パラレル通信コントローラ（ＰＩＯ）３３、ＣＰＵ２９の暴走を防止するためのウォッチドッグタイマ（ＷＤＴ）３４、カウンタタイマ（ＣＴＣ）３５、映像信号処理回路２８により映像処理された内視鏡画像、及び患者データ、日時、コメント、その他内視鏡関連データなどの表示を制御する表示コントローラ３６、表示コントローラ用メモリである表示メモリ４０、映像信号処理回路２８からの内視鏡画像と、表示コントローラ３６から出力される患者データ、日時、コメント、その他内視鏡関連データなどの表示データを切り替える又は合成する為の映像信号切替回路３７、映像信号切替回路３７の切替え制御を行う制御信号生成回路３８、現在の日時を計数するリアルタイムクロック（ＲＴＣ）３９、前記画像処理装置３Ａの操作を行うための操作パネル４１、ＬＥＤ４２、ブザー４３、光源装置１３の調光を行う図示しない調光制御部を有し、シリアルコントローラ３２には内視鏡関連データなどを入力するキーボード４４と接続されている。  
また、操作パネル４１、ＬＥＤ４２、ブザー４３はパラレルコントローラ３３と接続されている。
【００２３】
前記映像信号切替回路３７からの出力はモニタ４ａにより表示され、画像記録装置５ａ、ファイリング装置６ａによって、内視鏡画像の記録、読み出し、管理が行われる。また、ＣＰＵ２９は、シリアルコントローラ３２またはパラレルコントローラ３３を経由して、モニタ４ａ、画像記録装置５ａ、ファイリング装置６ａを制御すると共に、内視鏡関連データの読み出し、書き込み、又は管理などの処理を行う。
【００２４】
なお、ＳＩＯ３２で行われる、キーボード４４・画像処理装置５ａ・ファイリング装置６ａとのシリアルインタフェースは、ＰＳ／２・ＵＳＢ・ＩＥＥＥ１３９４・Ｅｔｈｅｒｎｅｔ（登録商標）なども含まれるとする。
【００２５】
一方、図１の画像処理装置３Ｂの構成は、例えば図２に示す前記画像処理装置３Ａ内の構成のうち、内視鏡２とシリアルインターフェースで通信を行う部分を除いたものであり、また、洗浄装置３Ｃの構成は、例えば前記画像処理装置３Ａ内の構成のうち、映像信号処理回路２８など映像関連部分を除き、図示しない内視鏡洗浄部を追加したものである。
【００２６】
またファイリング装置３Ｄは、例えば前記画像処理装置３Ａ内の構成のうち、映像信号処理回路２８など映像関連部分を除いたものである。  
図３は、図２のセレクタ２２の構成の一例を示したブロック図である。  
このセレクタ２２は、抵抗４６を介して電源端Ｖｃｃに接続される事によりプルアップされたオープンコレクタ又はオープンドレイン４７と、バッファ４８を有し、ＣＰＵ２１から送信される送信信号（Ｔｘｄ）はオープンコレクタ又はオープンドレイン４７を経て、１つの信号線４９によってコネクタ２５から画像処理装置３Ａ側に送られる。
【００２７】
なお、ＣＰＵ２１は、ＣＣＣＰＵ２１内のＳＩＯを制御する事により、Ｒｘｄの受信処理を禁止してから送信を行う。これにより、ＣＰＵ２１から送信された送信信号がＣＰＵ２１のＲｘｄに受信されないようにする。一方、コネクタ２５から前記信号線４９によってバッファ４８を経てＣＰＵ２１が受信する受信信号（Ｒｘｄ）が画像処理装置３Ａ側から送られる。
【００２８】
つまり、このセレクタ２２により１本の信号線４９で送受信できるように変換して内視鏡２のＣＰＵ２１と画像処理装置３Ａとは双方向の信号の送受信を行う通信手段を形成している。なお、内視鏡２側のコネクタ２５と画像処理装置３Ａ側のコネクタ２７との間では信号線４９はケーブル２６における１本の信号線２６ｂと接続される。また、コネクタ２７内では信号線２６ｂは図２のセレクタ７４と接続される１本の信号線と接続される。
【００２９】
図３４は、図２のセレクタ７４の構成の一例を示したブロック図である。  
このセレクタ７４は、抵抗７５を介して、接続装置３Ａの（図示しない）電源端Ｖｃｃに接続されることにより、プルアップされたオープンコレクタ又はオープンドレイン７６と、バッファ７７、８０、８１、電気的に絶縁するためのフォトカプラ、トランスなどを示す絶縁部７８、７９を有する。内視鏡２側から送られた信号がコネクタ２７、バッファ７７、絶縁部７９、バッファ８１を経由してＳＩＯ３２に送られ、ＣＰＵ２９で受信信号として処理される。また、ＳＩＯ３２から送信された信号は、バッファ８０、絶縁部７８、オープンコレクタ又はオープンドレイン７６、コネクタ２７を経由して内視鏡２側で受信される。
【００３０】
なお、ＳＩＯ３２から送信信号の送信時には、ＣＰＵ２９はＳＩＯ３２を制御する事により、受信処理を禁止してから送信を行う。これにより、ＣＰＵ２９から送信された送信信号がＳＩＯ３２→８０→７８→７６を経て７７→７９→８１からＳＩＯ３２に入力された際、受信されないようにする。
【００３１】
このセレクタ７４により、セレクタ２２と同様に、１本の信号線で送受信できるように変換して、双方向の信号の送受信を行う通信手段を形成すると共に、電気的な絶縁を行っている。
【００３２】
このように内視鏡２には、該内視鏡２と通信する通信機能を有する（画像処理装置３Ａ等の）周辺装置（周辺装置において、内視鏡２に接続された周辺装置を接続装置とも言う）との通信手段として、１本の通信線で双方向のデータ送受を行うシリアルインタフェース手段を形成するセレクタ２２を設けることにより、内視鏡２と接続装置とを接続するケーブル２６の本数を削減して、より可撓性を持つようにでき、従って操作の際により邪魔になりにくくできるようにすると共に、内視鏡２側のコネクタ２５のコネクタピンの数も少ない小型のものを用いることができ、ユーザにとって扱い易いものとなる（使い勝手が良い）。
【００３３】
また、接続装置側のコネクタ２７においてもそのコネクタピンの数が少ない小型のものを用いることができる。  
また、通信手段をこのようにシリアルでデータ送受を行う構成とすることにより、低コストで実現することもできる。
【００３４】
また、内視鏡２は、撮像する固体撮像素子としてのＣＣＤ１７を有し、内視鏡２内の図１の記憶部７（を構成する図２の不揮発性メモリ２０）及び図１の通信部８（を構成する図２のセレクタ２２及びＣＰＵ２１など）に供給される電源部としてのレギュレータ１９は、ＣＣＤ１７に供給する電源部と共用していることも特徴となっている。
【００３５】
従って、内視鏡２内の記憶部７及び通信部（通信機能）８に供給される電源部を、固体撮像素子としてのＣＣＤ１７に供給する電源部と共用する事により、内視鏡２及び接続装置の接続部の小型化につながるため、ユーザにとって扱いやすい。  
もっとも、内視鏡２と、接続装置との通信は、図２、３の構成に示すように１つの信号線４９で行う他、送信信号及び受信信号用に信号線を２本用意してもよい。
【００３６】
図４（Ａ）は内視鏡２と接続装置３Ａ、３Ｃ、３Ｄと通信を行う際の、通信データのフォーマットを示し、図４（Ｂ）は各データの種類の内容を示す。  
内視鏡２と接続装置３Ａ、３Ｃ、３Ｄとの通信は、１つの信号線４９で行われるため、非同期式で行われる。
【００３７】
この場合、図４（Ａ）に示すようにブロック５１のデータ毎に送信され、１つのブロック５１は、複数のデータＳＴＸ５２、ＬＥＮ５３、ＤＡＴＡ５４、＼ＬＥＮ５５、＼ＤＡＴＡ５６、ＣＳ５７、ＥＴＸ５８で構成され、各データは、８ビット単位で構成され、送受信時には、前記８ビットにスタートビット、ストップビット及びパリティビットを追加して送信する。  
各データの内容は図４（Ｂ）に示す通りである。
【００３８】
＼ＬＥＮ５５及び＼ＤＡＴＡ５６は、データ長を示すＬＥＮ５３及びＤＡＴＡ５４を反転したものを示し、ＬＥＮ及び＼ＬＥＮ、並びにＤＡＴＡ及び＼ＤＡＴＡをそれぞれ比較する事により、ブロック５１内のデータが正しく送受信されたかをチェックするためのデータである。
【００３９】
ＣＳ５７は、例えばＳＴＸ５２〜＼ＤＡＴＡ５６までのチェックサムを示し、データが正しく送受信されたかをチェックするものである。  
（ＬＥＮ５３、＼ＬＥＮ５５、ＤＡＴＡ５４、＼ＤＡＴＡ５６、ＣＳ５７、及び各データのパリティビットを全部含めて、以下チェックデータという。）
ＤＡＴＡ５４は、ＡＳＣＩＩ又はＪＩＳコードであってもよい。又は、外部から容易に解読できないように、オリジナルなコードを使用してもよく、その場合には、不揮発性メモリ２０、ＣＰＵ２１内のＲＯＭ、ＲＯＭ３０、又はＲＡＭ３１にＡＳＣＩＩ又はＪＩＳコードで記憶された内視鏡関連データを、ＣＰＵ２１内のＲＯＭ又はＲＯＭ３０内にあるコード変換テーブルにより、送信時にはオリジナルのコードに変換するコード変換を行ってから送信処理を行い、受信時には受信したオリジナルコードのデータを、ＡＳＣＩＩ又はＪＩＳコードに再変換する再変換処理後に受信したデータの処理を行ってもよい。  
また、通信時に行うコード変換及びコード再変換は、図４（Ａ）に示したデータの内、ＳＴＸ及びＥＴＸを除いた全てのデータであってもよい。
【００４０】
図５、６は、接続装置が内視鏡２内の不揮発性メモリ２０へ内視鏡関連データを書込む際に行う書込み処理、又は内視鏡関連データをクリアするクリア処理において、それぞれ接続装置側及び内視鏡側の動作を示すフローチャート図である。
【００４１】
最初に接続装置は、図５のステップＳ１に示すように書込みコマンドの再送信回数Ｘ、Ｙ、Ｚをｎ、ｍ、ｋに設定する。Ｘは内視鏡２から送信され、接続装置が受信する応答コマンドが正常に受信できなかった場合の、再送信回数を示し、Ｙは、接続装置が書込みコマンドを送信してから、一定時間（例えば３０秒）経過しても、応答コマンドが受信されなかった場合の再送信回数を示し、Ｚは正常応答コマンドが受信されなかった場合の再送信回数を示す。
【００４２】
次に、接続装置は図４のブロック５１を構成するＤＡＴＡ５４には書込み指示データと実際に書き込む内視鏡関連データを含んでいる書込みコマンド、又はＤＡＴＡ５４にクリア指示データを含むクリアコマンドを、内視鏡２へ送信し（Ｓ２）、内視鏡２側からの応答コマンドの受信待ち（Ｓ３）となる。
【００４３】
書込コマンド（クリアコマンド）の送信は具体的には、接続装置内のＣＰＵ２９によりＳＩＯ３２、セレクタ７４、コネクタ２７、ケーブル２６を経て内視鏡２のコネクタ２５、セレクタ２２を経由してＣＰＵ２１で受信される。
【００４４】
内視鏡２側では、図６に示すように接続装置からコマンドが送信されてくるまで受信待ちを行い（Ｓ２１）、前記書込みコマンド又はクリアコマンドを受信した後、コマンド内のチェックデータにより、データが正常に受信されたか否かの確認を行い（Ｓ２２）、正常に受信したと確認した場合にはステップＳ２３のＤＡＴＡ５４内の内視鏡関連データを不揮発性メモリ２０に書き込むメモリ書込み処理、又は不揮発性メモリ２０内のデータをクリアするメモリクリア処理を行う。（詳細は、図８で後述する。）
メモリ書込み処理又はメモリクリア処理の後、次のステップＳ２４でこのメモリ書込み処理又はメモリクリア処理を正常に終了したか否かを確認し、正常に終了した場合には（図８のＳ３６）正常応答コマンドを接続装置側に送信し（Ｓ２５）、ステップＳ２１に戻り、次のコマンドの受信待ちを行う。
【００４５】
ステップＳ２４のメモリ書込み処理又はメモリクリア処理が正常に終了しなかった場合（図８のＳ３３）には接続装置に異常応答コマンドを送信し（Ｓ２６）、またステップＳ２２の書込みコマンドが正常に受信できなかった場合は接続装置に異常応答コマンドを送信し（Ｓ２７）、それぞれステップＳ２１に戻り、次のコマンドの受信待ちを行う）。
【００４６】
なお、Ｓ２６とＳ２７の異常応答コマンドは、まったく同じコマンドであってもよく、又は内視鏡２側の異常の原因を検出できるように、異常の種類を含めた別々のコマンドであってもよい。  
なお、各応答コマンドは、ＣＰＵ２１から送信され、セレクタ２２、コネクタ２５、ケーブル２６、コネクタ２７、セレクタ７４、ＳＩＯ３２を経由して、ＣＰＵ２９に入力されることにより接続装置に受信される。
【００４７】
接続装置は、図５のステップＳ２の書込みコマンド又はクリアコマンドを送信してから、ステップＳ３の応答コマンドの受信待ちとなり、その場合一定時間経過しても応答コマンドが受信できないか否かの判断を行い（Ｓ４）、これに該当する場合には再送信回数Ｙを−１と（つまり、Ｙ−１と）し（Ｓ５）、この再送信回数Ｙが０であるか判断し（Ｓ６）、再送信回数Ｙが０でないとステップＳ２に戻り、再び書込みコマンド又はクリアコマンドを送信し、再送信回数Ｙ＝０になった時は、ｍ回の再送信が行われたと判断して、処理を中止し、異常終了する（Ｓ７）。
【００４８】
一方、接続装置はステップＳ２の書込みコマンド又はクリアコマンドを送信してから、ステップＳ３の応答コマンドの受信待ちで内視鏡２から応答コマンドを受信した場合にはステップＳ８に移り、正常に応答コマンドを受信したか否かの確認を行う。
【００４９】
つまり、受信したコマンド内のチェックデータにより、正常にコマンドを受信したかを確認し、正常に応答コマンドを受信できなかった時は、再送信回数Ｘを−１にし（つまり、Ｘ−１とし）（Ｓ９）、この再送信回数Ｘが０であるか判断し（Ｓ１０）、再送信回数Ｘが０でないとステップＳ２に戻り、再び書込みコマンド又はクリアコマンドを送信し、再送信回数Ｘ＝０になった時は、ｎ回送信が行われたと判断し、処理を中止して、異常終了とする（Ｓ１１）。
【００５０】
ステップＳ８で、正常にコマンドを受信した場合には、ステップＳ１２の正常応答コマンドか否かの判断を行い、正常応答コマンドである場合には、正常終了し、この書込み処理又はクリア処理を終了する（Ｓ１３）。
【００５１】
一方、正常応答コマンドでない場合（異常応答コマンドの場合）は、再送信回数Ｚを−１にし（つまりＺ−１とし）（Ｓ１４）、この再送信回数Ｚが０であるか判断し（Ｓ１５）、再送信回数Ｚが０でないとステップＳ２に戻り、再び書込みコマンド又はクリアコマンドを送信し、Ｚ＝０になった時は、ｋ回送信が行われたと判断し、処理を中止して、異常終了とする（Ｓ１６）。
【００５２】
なお、再送信回数Ｘ、Ｙ、Ｚの設定（Ｓ１）は、図５のフローチャートに示すように、各書込み処理又はクリア処理毎に行う他、予め接続装置のＲＯＭ３０、ＲＡＭ３１に格納しておき、再設定が不要になるようにしてもよい。
【００５３】
続いて、図６のステップＳ２３のメモリ書込み処理又はメモリクリア処理について説明する。
【００５４】
内視鏡２内の不揮発性メモリ２０に格納される複数の内視鏡関連データの各々のデータは、図７（Ａ）に示すようにデータ部６０及びこのデータ部６０のバックアップデータ部６１から構成される。又、データ部６０及びバックアップデータ部６１はそれぞれ書込みフラグ領域６２、６５、データ領域６３、６６、チェックサム領域６４、６７から構成される。各領域は図７（Ｂ）に示す意味を持つ。
【００５５】
なお、バックアップデータ部６１は、不揮発性メモリ２０に格納される全ての内視鏡関連データについて用意する他、特に重要と思われるデータ（例えばスコープ種別、スコープ先端部構成、洗滌チューブ・アダプタデータ、ＣＣＤ種別データ、ＣＣＤの光学フィルタ、スコープチャンネル情報、スコープＳＷ、ＩＤデータ、カウントデータ、リプロセス回路データ、前回検査時刻、スコープ機種名、ボディナンバー、ＣＣＤ種別、管路情報など）にのみ、用意してもよい。
【００５６】
図８は、内視鏡２内において、図６のステップＳ２３のメモリ書込み処理又はメモリクリア処理の動作を示すフローチャートである。  
まず最初に、図８のステップＳ３１において、図７のデータ部６０について書込み処理又はクリア処理を行い、その後に正常に終了したか否かを判断する（ステップＳ３２）。
【００５７】
データ部の書込み処理は、図９に示すように、以下の手順により行う。  
図９のステップＳ４１に示すように、データ書込みフラグ領域６２のフラグデータをクリア（例えば００ｈに）する。
【００５８】
次にステップＳ４２のデータ領域６３に受信した書込みコマンドに含まれる内視鏡関連データを書込む（書込み処理時）。又は内視鏡２内のＣＰＵ２１のＲＯＭであらかじめ設定されたプリセット値であるクリアデータを書込む（クリア処理時）。  
次にステップＳ４２におけるデータに対し、そのチェックサム（データ）をデータチェックサム領域６４に書き込む。
【００５９】
次にステップＳ４２の書込み処理によりデータ領域６３に書込んだデータを読み出す（Ｓ４４）。  
また、ステップＳ４３によってデータチェックサム領域６４に書込んだチェックサムを読み出す（Ｓ４５）。
【００６０】
次のステップＳ４６で、ステップＳ４４によるデータから求めたチェックサム（データ）とステップＳ４５のチェックサム（データ）が一致するか否かを確認する。  
そして、両チェックサムが一致した場合は、データが正しく書込まれたと判断し、ステップＳ４７でデータ書込みフラグ領域６２のフラグデータをセット（例えば０１ｈに）し、正常終了する（Ｓ４８）。
【００６１】
一方、ステップＳ４６で両チェックサムが一致しなかった場合は、データが正しく書込まれなかったと判断し、ステップ４９のリトライするか否かの判断を求め、１回も再書き込み処理が行われていない場合は、ステップＳ４２に戻り１回だけデータの再書込み処理を行う。  
そして、このデータの再書込み処理によりステップＳ４６で両チェックサムが一致しなかった場合は、異常終了する（Ｓ５０）。
【００６２】
図８に示すステップＳ３２の判断に対し、データ部６０の書込み処理又はクリア処理が正常に終了しない場合（Ｓ５０）には異常終了し（ステップＳ３３）、一方正常に終了した場合（Ｓ４８）は、ステップＳ３４のバックアップデータ部６１の書込み処理又はクリア処理を行い、その後にステップＳ３５の正常に終了したか否かを確認する。  
バックアップデータ部６１の書込み処理は、図１０に示すように、以下の手順により行う。
【００６３】
図１０のステップＳ５１に示すように、バックアップデータ書込みフラグ領域６５のフラグデータをクリア（例えば００ｈに）する。  
次にステップＳ５２のバックアップデータ領域６６に受信した書込みコマンドに含まれる内視鏡関連データを書込む（書込み処理時）。又は内視鏡２内であらかじめ設定されたプリセット値であるクリアデータを書込む（クリア処理時）。  次にステップＳ５２のデータに対し、そのチェックサムをバックアップデータチェックサム領域６７に書き込む。
【００６４】
次にステップＳ５２の書込み処理によりバックアップデータ領域６６に書込んだデータを読み出す（Ｓ５４）。  
また、ステップＳ５３によってバックアップデータチェックサム領域６７に書込んだチェックサムを読み出す（Ｓ５５）。
【００６５】
次のステップＳ５６で、ステップＳ５４によるデータから求めたチェックサムとステップＳ５５のチェックサムが一致するか確認する。  
そして、両チェックサムが一致した場合は、データが正しく書込まれたと判断し、ステップＳ５７でバックアップデータ書込みフラグ領域６５のフラグデータをセット（例えば０１ｈに）し、正常終了する（Ｓ５８）。
【００６６】
一方、ステップＳ５６で両チェックサムが一致しなかった場合は、データが正しく書込まれなかったと判断し、ステップ５９のリトライするか否かの判断を求め、１回も再書き込み処理が行われていない場合は、ステップＳ５２に戻り例えば１回だけデータの再書込み処理を行う。  
そして、このデータの再書込み処理によりステップＳ５６で両チェックサムが一致しなかった場合は、異常終了する（Ｓ６０）。
【００６７】
このようにして図８のステップＳ３４のバックアップデータ部６１の書込み処理又はクリア処理が行われ、その後のステップＳ３５の正常に終了したか否かの判断に対し、メモリ書込み処理又はメモリクリア処理が正常に行われたと判断した場合（Ｓ５８）には、正常終了（Ｓ３６）し、正常に終了しなかった場合（Ｓ６０）には異常終了する（Ｓ３３）。
【００６８】
なお、データ領域６３又はバックアップデータ領域６６にデータを書込み中は、フラグ領域６２、６５は、クリアされている事となり、この状態の時に、停電や、内視鏡２を接続装置から取り外すなどをして、内視鏡２内への電源が切断された場合には、フラグ領域内６２、６５のデータは、クリアのままとなる。
【００６９】
また、チェックサム領域６４、６７に書かれたチェックサムは図９、１０に示すように、データ領域６３、６６内のデータが正しいか確認するために使用される。
【００７０】
なお、チェックサム６４、６７にあるチェックサムを図６のＳ２５の正常応答コマンドに付加して送信し、接続装置では、図５のＳ１２で受信した応答コマンドに付加されているチェックサムとＳ２で送信する書込みコマンドに含まれる内視鏡関連データから作成するチェックサムを比較する事により、内視鏡関連データが内視鏡２内のメモリ２０に正しく書き込まれたかをチェックするようにしてもよい。
【００７１】
図１１、１２は、接続装置が内視鏡２内の不揮発性メモリ２０へ内視鏡関連データを読み出す際に行う読み出し処理において、それぞれ接続装置側及び内視鏡側の動作を示すフローチャート図である。
【００７２】
最初に接続装置は、図１１のステップＳ６１に示すように読出しコマンドの再送信回数Ｘ、Ｙ、Ｚをｎ、ｍ、ｋに設定する。Ｘは内視鏡２から送信され、接続装置が受信する応答コマンドが正常に受信できなかった場合の再送信回数を示し、Ｙは、接続装置が読出しコマンドを送信してから、一定時間（例えば３０秒）経過しても、応答コマンドが受信されなかった場合の再送信回数を示し、Ｚは正常応答コマンドが受信されなかった場合の再送信回数を示す。
【００７３】
次に、図４のブロック５１を構成するＤＡＴＡ５４には読出し指示データを含んでいる読出しコマンドを、内視鏡２へ送信し（Ｓ６２）、その後応答コマンド受信待ちとなる（Ｓ６３）。  
具体的には、接続装置内のＣＰＵ２９によりＳＩＯ３２、コネクタ２７、ケーブル２６を経て内視鏡２のコネクタ２５に送信され、さらにセレクタ２２を経由して内視鏡２内のＣＰＵ２１で読出しコマンドが受信される。
【００７４】
内視鏡２側では、図１２に示すように接続装置からコマンドが送信されてくるまで受信待ちを行い（Ｓ８１）、前記読出しコマンドを受信後に、次のステップＳ８２でコマンド内のチェックデータにより、データが正常に受信されたか否かの確認を行い、データが正常に受信された場合には、ＤＡＴＡ５４内の読出し指示データにより、ステップＳ８３のメモリ読出し処理を行う。その詳細は、図１３で後述する。
【００７５】
ステップＳ８３のメモリ読出し処理の後に、ステップＳ８４のメモリ読出し処理が正常に終了したか否かの確認を行い、正常に終了した場合（図１３のＳ９３）には、読み出した内視鏡関連データを含む正常応答コマンドを接続装置側に送信し（Ｓ８５）、ステップＳ８１に戻り、次のコマンドの受信待ちとなる。
【００７６】
メモリ読出し処理が正常に行われなかった場合（図１３のＳ９６）にはステップＳ８６で接続装置に異常応答コマンドを送信した後、ステップＳ８１に戻り、次のコマンドの受信待ちとなる。  
また、ステップＳ８２で正常に読出しコマンドを受信できなかった場合にも、ステップＳ８７で、接続装置に異常応答コマンドを送信した後、ステップＳ８１に戻り、次のコマンドの受信待ちとなる。
【００７７】
なお、Ｓ８６とＳ８７の異常応答コマンドは、全く同じコマンドであってもよく、又は接続装置側が、異常の原因を検出できるよう異常の種類を含めた別々のコマンドであってもよい。  
なお、各応答コマンドは、ＣＰＵ２１から送信され、セレクタ２２、コネクタ２５、ケーブル２６を経て接続装置のコネクタ２７に送信され、さらにＳＩＯ３２を経由して、ＣＰＵ２９に入力されることにより接続装置で受信される。
【００７８】
図１１に戻り、接続装置は、ステップＳ６３の応答コマンド受信の判断を行い、応答コマンド受信が無い場合には、ステップＳ６４に示す一定時間経過するまで応答コマンド受信待ちする。そして、応答コマンド受信が一定時間経過後も無い場合には、再送信回数Ｙを−１とし（Ｓ６５）、さらに再送信回数Ｙが０か否かの判断を行い、再送信回数Ｙが０になるまでステップＳ６２に戻り、再び読出しコマンドを送信する。そして、再送信回数Ｙが０になった時は、ｍ回送信が行われたと判断し、異常終了（Ｓ６７）する。
【００７９】
一方、ステップＳ６３の応答コマンド受信の判断において、応答コマンドを受信した場合には、ステップＳ６８に示すように正常にコマンド受信がされたか否かの判断を行う。
【００８０】
そして、正常にコマンドを受信しないと判断した場合には、再送信回数Ｘを−１にし（Ｓ６９）、さらに再送信回数Ｘが０か否かの判断を行い（Ｓ７０）、再送信回数Ｘが０になるまでステップＳ６２に戻り、再び読出しコマンドを送信する。そして、再送信回数Ｘが０になった時は、ｎ回送信が行われたと判断し、異常終了（Ｓ７１）する。
【００８１】
一方、ステップＳ６８の判断において、正常にコマンド受信がされた場合には、ステップＳ７２に移り、正常応答コマンドか否かコマンド内のチェックデータにより判断し、正常な応答コマンドであると判断した場合は正常終了（Ｓ７３）し、読出し処理を終了する。
【００８２】
一方、応答コマンドが正常でない場合には、再送信回数Ｚを−１にし（Ｓ７４）、さらに再送信回数Ｚが０か否かの判断を行い（Ｓ７５）、再送信回数Ｚが０になるまでステップＳ６２に戻り、再び読出しコマンドを送信する。そして、再送信回数Ｚが０になった時は、ｋ回送信が行われたと判断し、異常終了（Ｓ７６）する。  
なお、再送信回数Ｘ、Ｙ、Ｚの設定（Ｓ６１）は、図１１のフローチャートに示すように、各読み出し処理毎に行う他、あらかじめＲＯＭ３０、ＲＡＭ３１に格納しておき、再設定が不要になるようにしてもよい。
【００８３】
図１３は、内視鏡２内において、図１２のメモリ読出し処理（Ｓ８３）の動作を示すフローチャートである。  
まず最初に、図１３のステップＳ９１において、図７（Ａ）のデータ部６０に対して読出し処理を行い、その後ステップＳ９２の正常に読出しが終了したか否かの判断を行う。
【００８４】
データ部６０の読出し処理は、図１４に示すように、以下の手順により行う。  最初のステップＳ１０１で、データ書込みフラグ領域６２のフラグデータを読み出す。  
次のステップＳ１０２でフラグデータがセットされているか否かの判断を行い、セットされていない場合にはデータ領域６３にデータが正しく書込まれなかったと判断し、異常終了（Ｓ１０３）する。
【００８５】
一方、フラグがセットされている場合は、データ領域６３のデータが正しく書込まれたものと判断して、ステップＳ１０４に移り、データ領域６３から内視鏡関連データを読み出す。  
次にステップＳ１０５のデータチェックサム領域６４からチェックサムを読み出しす。
【００８６】
そして、次のステップＳ１０５で、ステップＳ１０４により読出したデータから求めたチェックサムとステップＳ１０５のチェックサムが一致するか否かの判断を行う（Ｓ１０６）。
【００８７】
ステップＳ１０６の判断で、両チェックサムが一致した場合は、ステップＳ１０４で読み出した内視鏡関連データが正しいと判断し、この処理で読み出した内視鏡関連データをメモリ読出しデータとし、正常終了（Ｓ１０７）し、両チェックサムが一致一致しなかった場合は、ステップＳ１０４で読出したデータが正しくないものと判断し、異常終了する（Ｓ１０３）。
【００８８】
図１３に戻り、データ部６０の読出し処理が正常に終了したか否かの判断において、正常に行われた場合（Ｓ１０７）には正常終了する（Ｓ９３）。  
一方、正常に終了しなかった場合（Ｓ１０３）は、ステップＳ９４のバックアップデータ部６１に対して、読出し処理を行い、その後正常に読出しが終了したか否かの判断を行う（Ｓ９５）。
【００８９】
バックアップデータ部６１の読出し処理は、図１５に示すように、以下の手順により行う。  
最初のステップＳ１１１で、バックアップデータ書込みフラグ領域６５のフラグデータを読出す。
【００９０】
そして、次のステップＳ１１２で読出したフラグデータがセットされているか否かの判断を行い、フラグデータがセットされていなければ、バックアップデータ領域６６のデータが正しく書込まれてないものと判断し、異常終了する（Ｓ１１３）。
【００９１】
一方、フラグデータがセットされている場合には、バックアップデータが正しく書き込まれたものと判断し、ステップＳ１１４のバックアップデータ領域６６から内視鏡関連データのバックアップデータを読み出す。  
次のステップＳ１１５で、ステップＳ１１４のデータのチェックサムをバックアップデータチェックサム領域６７から読み出す。
【００９２】
そして、次のステップＳ１１６で、ステップ１１４によるデータから求めたチェックサムとステップＳ１１５によるチェックサムが一致するか否かを確認する。  
ステップＳ１１６で一致した場合は、データが正しく書き込まれたと判断し、ステップＳ１１４による内視鏡関連データをメモリ読出しデータとして、正常読出しとして終了する（Ｓ１１７）。  
ステップＳ１１６で一致しなかった場合は、データが正しく書込まれなかったと判断し、ステップＳ１１３に移り、異常終了する。
【００９３】
図１３に戻り、バックアップデータ部６１の読み出し処理が正常に終了したか否かの判断において、正常に行われた場合（Ｓ１１７）には正常終了する（Ｓ９３）。  
一方正常に終了しなかった場合は（Ｓ１１３）、異常終了する。
【００９４】
なお、フラグ領域６２、６５のフラグデータを確認する事により、データ領域６３、６６のデータが正しく書込まれたか否かを確認する事ができる。具体的には、書込み中に、停電して内視鏡２を接続装置から取り外したために起こる内視鏡２内への電源の切断などにより起こる書込み中断時には、フラグ領域６２、６５のデータは、クリアのままとなる。  
また、チェックサム領域６４、６７に書かれたチェックサムにより、データ領域６３、６６内のデータが正しいか否かを確認する事ができる。
【００９５】
図１６、１７は、接続装置が内視鏡２内の不揮発性メモリ２０へ内視鏡関連データを書き込む前に行う書込み許可処理、及び書込み許可後の書込み処理において、それぞれ接続装置側及び内視鏡側の動作を示すフローチャート図である。
【００９６】
書込み許可処理は、不揮発性メモリ２０に書き込む内視鏡関連データのうち、特に重要と思われる一部又はすべてについて、容易に書き換えが行えないように、書込み処理を行う前に書込み許可を行うための処理である。  
図１６に示すように最初のステップＳ１２１で接続装置は、書込み許可コマンドの再送信回数Ｘ、Ｙ、Ｚをｎ、ｍ、ｋに設定する。
【００９７】
再送信回数Ｘは内視鏡２から送信され、接続装置が受信する応答コマンドが正常に受信できなかった場合の再送信回数を示し、再送信回数Ｙは接続装置が書き込み許可コマンドを送信してから、一定時間（例えば３０秒）経過しても、応答コマンドが受信されなかった場合の再送信回数を示し、再送信回数Ｚは正常応答コマンドが受信されなかった場合の再送信回数を示す。
【００９８】
次のステップＳ１２２で、図４のブロック５１を構成するＤＡＴＡ５４には書込み許可指示データを含んでいる書込み許可コマンドを、内視鏡２へ送信し、その後のステップＳ１２３で内視鏡２側からの応答コマンド受信待ちをする。
【００９９】
具体的には、接続装置内のＣＰＵ２９によりＳＩＯ３２、コネクタ２７、ケーブル２６を経て内視鏡２のコネクタ２５に書込み許可コマンドを送信し、さらにセレクタ２２を経由してＣＰＵ２１で受信される。
【０１００】
内視鏡２側では、図１７に示すようにステップＳ１４１で接続装置からコマンドが送信されてくるまで受信待ちを行い、この書込み許可コマンドを受信後は、次のステップＳ１４２でコマンド内のチェックデータにより、書込み許可コマンドが正常に受信されたか否か確認し、正常に受信された場合にはステップＳ１４３のＤＡＴＡ５４内の書込み許可指示データによりメモり書込み許可処理を行う。
【０１０１】
メモリ書込み許可処理では、この書込み許可処理の後に内視鏡２側が最初に受信したコマンドが書込みコマンドの場合のみ、その書込み処理を行うように、ＣＰＵ２１を設定するものである。
【０１０２】
続くステップＳ１４４でメモリ書込み許可処理が正常に行われたか否かの確認を行い、正常に行われた場合には次のステップＳ１４５で正常応答コマンドを接続装置側に送信し、その後ステップＳ１４１に戻り、次のコマンドの受信待ちとなる。
【０１０３】
ステップＳ１４４のメモリ書込み許可処理が正常に行われなかった場合には、接続装置に異常応答コマンドを送信し（Ｓ１４６）、その後ステップＳ１４１に戻り、次のコマンドの受信待ちとなる。  
また、ステップＳ１４２で正常に書込み許可コマンドを受信できなかった場合にも、接続装置に異常応答コマンドを送信し（Ｓ１４７）、その後ステップＳ１４１に戻り、次のコマンドの受信待ちとなる。
【０１０４】
なお、Ｓ１４６とＳ１４７の異常応答コマンドは、全く同じコマンドであってもよく、又は接続装置側が、異常の原因を検出できるよう異常の種類を含めた別々のコマンドであってもよい。  
なお、各応答コマンドは、ＣＰＵ２１から送信され、セレクタ２２、コネクタ２５、ケーブル２６、コネクタ２７、ＳＩＯ３２を経由して、ＣＰＵ２９に入力されることにより接続装置で受信される。
【０１０５】
接続装置は、図１６のステップＳ１２２の書込みコマンド送信後、次のステップＳ１２３で内視鏡２側からの応答コマンド受信の判断を行い、応答コマンド受信が無い場合には、ステップＳ１２４に示す一定時間経過するまで応答コマンド受信待ちする。そして、応答コマンド受信が一定時間経過後も無い場合には、再送信回数Ｙを−１とし（Ｓ１２５）、さらにステップＳ１２６で再送信回数Ｙが０か否かの判断を行い、再送信回数Ｙが０になるまでステップＳ１２２に戻り、再び書込み許可コマンドを送信する。そして、再送信回数Ｙが０になった時は、ｍ回送信が行われたと判断し、異常終了（Ｓ１２７）する。
【０１０６】
一方、応答コマンド受信を受信した場合には、ステップＳ１２８でコマンド内のチェックデータにより、正常にコマンドを受信したか否かを確認を行う。
【０１０７】
そして、正常に応答コマンドを受信しなかった場合には、ステップＳ１２９で再送信回数Ｘを−１とし、さらにステップＳ１３０で再送信回数Ｘが０か否かの判断を行い、再送信回数Ｘが０になるまでステップＳ１２２に戻り、再び書込み許可コマンドを送信する。そして、再送信回数Ｘが０になった時は、ｎ回送信が行われたと判断し、異常終了（Ｓ１３１）する。
【０１０８】
これに対し、ステップＳ１２８で正常にコマンドを受信したと判断した場合には、ステップＳ１３２に移り、正常応答コマンドか否かの判断を行い、正常な応答コマンドである場合には正常終了し、この書込み許可処理を終了する（Ｓ１３３）。
【０１０９】
一方、正常な応答コマンドと判断した場合は、再送信回数Ｚを−１とし（Ｓ１３４）、さらにステップＳ１３５で再送信回数Ｚが０か否かの判断を行い、再送信回数Ｚが０になるまでステップＳ１２２に戻り、再び書込み許可コマンドを送信する。そして、再送信回数Ｚが０になった時は、ｋ回送信が行われたと判断し、処理を中止し、異常終了する（Ｓ１３６）。
【０１１０】
なお、再送信回数Ｘ、Ｙ、Ｚの設定（Ｓ１２１）は、図１６のフローチャートに示すように、各書込み許可処理毎に行う他、あらかじめＲＯＭ３０、ＲＡＭ３１に格納しておき、再設定が不要になるようにしてもよい。
【０１１１】
図１８は、本書込み許可処理後に、接続装置から送信され、内視鏡２側で受信したコマンドに対する、内視鏡２側の処理に関するフローチャートである。  
内視鏡２側では、図１８に示すようにステップＳ１５１で接続装置からコマンドが送信されてくるまで受信待ちを行い、コマンドを受信した場合は、次のステップＳ１５２でコマンド内のチェックデータにより、正常にコマンドデータを受信したか否かを確認する。
【０１１２】
正常にコマンドを受信した場合には次のステップＳ１５３で書き込み（クリア）コマンドであるか否かの確認を行い、これに該当する場合は、ＤＡＴＡ５４内の書込み（クリア）指示データにより、書込み又はクリア処理を行う（Ｓ１５４）（詳細は図８と同じ）。
【０１１３】
次のステップＳ１５５でメモリ書込み（メモリクリア）処理が正常に終了したか否かの確認を行い、正常に終了した場合は次のステップＳ１５６で正常応答コマンドを接続装置側に送信した後、ステップＳ１５１に戻り、次のコマンドの受信待ちを行う。
【０１１４】
Ｓ１５５でメモリ書込み（メモリクリア）処理が正常に終了しなかった場合には、異常応答コマンドを送信し（Ｓ１５７）、ステップＳ１５１に戻り、次のコマンドの信号待ちを行う。  
なお、Ｓ１５７とＳ１５８の異常応答コマンドは、全く同じコマンドであってもよく、又は接続装置側が、異常の原因を検出できるよう異常の種類を含めた別々のコマンドであってもよい。
【０１１５】
一方、ステップＳ１５３で、コマンドが書込み（クリア）コマンドでない場合には、異常応答コマンドを送信し（Ｓ１５８）、ステップＳ１５１に戻り、次のコマンドの受信待ちを行う。
【０１１６】
また、ステップＳ１５２で正常にコマンドを受信できなかた場合にも、接続装置に異常応答コマンドを送信し（Ｓ１５８）、ステップＳ１５１に戻り、次のコマンドの受信待ちとなる。  
このように、図１８に示すように、接続装置が書込み許可処理を行った次の処理が書き込み（クリア）処理である時のみ書込み処理が実行される。
【０１１７】
図１９、２０は、接続装置（図１の画像処理装置３Ａ）が内視鏡２内の不揮発性メモリ２０にある内視鏡関連データの内、カウントデータについてカウント処理を行わせる場合の、それぞれ接続装置側及び内視鏡側の動作を示すフローチャート図である。
【０１１８】
内視鏡２と通信処理を有する画像処理装置３Ａ（図１参照）と接続した時、接続装置内のＣＣＤ駆動電源１８により、内視鏡２に電源供給を行った後、画像処理装置３Ａのみが行う、本カウント処理を１回行う事により、画像処理装置３Ａと接続した時の通電回数をカウントする。
【０１１９】
最初に画像処理装置３Ａは、図１９に示すようにステップＳ１６１で読み出しコマンドの再送信回数Ｘ、Ｙ、Ｚをｎ、ｍ、ｋに設定する。Ｘは内視鏡２から送信され、接続装置が受信する応答コマンドが正常に受信できなかった場合の、再送信回数を示し、Ｙは、接続装置が読み出しコマンドを送信してから、一定時間（例えば３０秒）経過しても、応答コマンドが受信されかった場合の再送信回数を示し、Ｚは正常応答コマンドが受信されなかった場合の再送信回数を示す。
【０１２０】
次に、図４のブロック５１を構成するＤＡＴＡ５４によりカウント指示データを含んでいる、カウントコマンドを内視鏡２へ送信する（Ｓ１６２）。  
具体的には、接続装置内のＣＰＵ２９によりＳＩＯ３２、コネクタ２７、ケーブル２６を経て内視鏡２のコネクタ２５、セレクタ２２を経由してＣＰＵ２１で送信されたコマンドが受信される。
【０１２１】
内視鏡２側では、図２０に示すように接続装置からコマンドが送信されてくるまで受信待ちを行い（Ｓ１８１）、コマンドを受信後にコマンド内のチェックデータにより、カウントコマンドを正常に受信したか否かを確認し（Ｓ１８２）、正常に受信した場合にはＤＡＴＡ５４内のカウント指示データによりメモりカウント処理を行う（Ｓ１８３）。
【０１２２】
メモリカウント処理は、不揮発性メモリ２０内のカウントデータを読み出し、カウントデータを＋１にして書き込む処理であり、その詳細は図２１で後述する。
【０１２３】
このメモリカウント処理の後、次のステップＳ１８４でメモリカウント処理が正常に終了したか否かの確認を行い、正常に終了した場合は（図２１のＳ１９８）読み出したデータを含む正常応答コマンドを接続装置側に送信し（Ｓ１８５）、ステップＳ１８１に戻り、次のコマンドの受信待ちとなる。
【０１２４】
メモリカウント処理が正常に終了しなかった場合には（図２１のＳ２０２）接続装置に異常応答コマンドを送信し（Ｓ１８６）、ステップＳ１８１に戻り、次のコマンドの受信待ちとなる。
【０１２５】
なお、Ｓ１８６とＳ１８７の異常応答コマンドは、全く同じコマンドであってもよく、又は接続装置側が、異常の原因を検出できるよう異常の種類を含めた別々のコマンドであってもよい。  
なお、各応答コマンドは、ＣＰＵ２１から送信され、セレクタ２２、コネクタ２５、ケーブル２６を経て接続装置のコネクタ２７からＳＩＯ３２を経由して、ＣＰＵ２９に入力されることにより接続装置に受信される。
【０１２６】
接続装置は、図１９のステップＳ１６２のカウントコマンド送信後に、次のステップＳ１６３で内視鏡２側からの応答コマンドの受信待ちとなり、応答コマンド受信が無い場合には、ステップＳ１６４に示す一定時間経過するまで応答コマンド受信待ちする。そして、応答コマンド受信が一定時間経過後も無い場合には、再送信回数Ｙを−１とし（Ｓ１６５）、さらにステップＳ１６６で再送信回数Ｙが０か否かの判断を行い、再送信回数Ｙが０になるまでステップＳ１６２に戻り、再び書込み許可コマンドを送信する。そして、再送信回数Ｙが０になった時は、ｍ回送信が行われたと判断し、異常終了（Ｓ１６７）する。
【０１２７】
一方、応答コマンド受信を受信した場合には、ステップＳ１６８でコマンド内のチェックデータにより、正常にコマンドを受信したか否かを確認を行う。  
そして、正常に応答コマンドを受信しなかった場合には、ステップＳ１６９で再送信回数Ｘを−１とし、さらにステップＳ１７０で再送信回数Ｘが０か否かの判断を行い、再送信回数Ｘが０になるまでステップＳ１６２に戻り、再びカウントコマンドを送信する。そして、再送信回数Ｘが０になった時は、ｎ回送信が行われたと判断し、異常終了（Ｓ１７１）する。
【０１２８】
これに対し、ステップＳ１６８で正常にコマンドを受信したと判断した場合には、ステップＳ１７２に移り、正常応答コマンドか否かの判断を行い、正常な応答コマンドである場合には正常終了し、この書込み処理を終了する（Ｓ１７３）。
【０１２９】
一方、正常な応答コマンドと判断した場合は、再送信回数Ｚを−１とし（Ｓ１７４）、さらにステップＳ１７５で再送信回数Ｚが０か否かの判断を行い、再送信回数Ｚが０になるまでステップＳ１６２に戻り、再びカウントコマンドを送信する。そして、再送信回数Ｚが０になった時は、ｋ回送信が行われたと判断し、処理を中止し、異常終了する（Ｓ１７６）。  
なお、再送信回数Ｘ、Ｙ、Ｚの設定（Ｓ１６１）は、図１９のフローチャートに示すように、各カウント処理毎に行う他、あらかじめＲＯＭ３０、ＲＡＭ３１に格納しておき、再設定が不要になるようにしてもよい。
【０１３０】
図２１は、内視鏡２内において、図２０のメモリカウント処理（Ｓ１８３）の動作を示すフローチャートである。メモリカウント処理は、以下の手順により行う。  
ステップＳ１９１に示すカウントデータ部について図１２のステップＳ８３、或いは図１４のメモリ読出し処理を行う（Ｓ１９１）。
【０１３１】
次のステップＳ１９２で、ステップＳ１９１の読出し処理が正常に終了したか否かの確認を行い、正常に読出し処理が終了した場合は次のステップＳ１９３でデータ領域から読み出したカウントデータのデータを＋１し、この＋１にしたカウントデータに対して、カウントデータ部に図９のメモリ書込み処理を行う（Ｓ１９４）。
【０１３２】
そして、次のステップＳ１９５で、ステップＳ１９４の書込み処理が正常に終了したか否かの確認を行い、正常に書込み処理が終了した場合は次のステップＳ１９６で、カウントデータバックアップデータ部に対して、Ｓ１９３で＋１したカウントデータのメモリ書込み処理を行う（Ｓ１９６）。次のステップＳ１９７で、Ｓ１９６の書込み処理が正常に終了したか否かの確認を行い、正常に書込み処理が終了した場合は、正常終了し（Ｓ１９８）、正常に終了しなかった場合は、異常終了する（Ｓ２０２）。  
一方、ステップＳ１９２で、ステップＳ１９１の読み出し処理が正常に終了しなかった場合はカウントデータのバックアップデータ部について、メモリ読み出し処理を行う（Ｓ１９９）。
【０１３３】
次のステップＳ２００で、ステップＳ１９９の読み出し処理が正常に終了したか否かの確認を行い、正常に読み出し処理が終了した場合は、次のステップＳ２０１でカウントデータのバックアップデータを＋１し、この＋１にしたバックアップのカウントデータに対して、前述したカウントデータ部及びカウントデータバックアップデータ部のメモリ書込み処理を行う（Ｓ１９５〜Ｓ１９７）。  
なお、ステップＳ２００で、読み出し処理が正常に終了しなかった場合は、異常終了する（Ｓ２０２）。
【０１３４】
図２２は、接続装置の内、画像処理装置３Ｂと接続した時に内視鏡２内でカウント処理を自動的に処理を行う場合の内視鏡２内の動作を示す。  
接続装置と接続した時は、装置内のＣＣＤ駆動電源１８により、内視鏡２に電源が供給される。内視鏡２と通信する通信機能を有する周辺装置３Ａ，３Ｃ，３Ｄと接続時は、内視鏡２に電源が供給されてから、ある一定時間内に、装置３Ａ、３Ｃ、３Ｄが、何らかのコマンド（前述した読み出しコマンド、書込みコマンド、書込み許可コマンド、カウントコマンドを含め、接続機器から送信される全てのコマンド）を送信する。
【０１３５】
前述した一定時間は、内視鏡２内のＣＰＵ２１内のＲＯＭにあらかじめ格納されており、その一定時間内に内視鏡２が接続装置から何らかのコマンドを受信した場合は、装置３Ａ、３Ｃ又は３Ｄと接続したと判断し、内視鏡２内で自動的には、カウント処理は行わない。
【０１３６】
画像処理装置３Ｂと接続した時は、この装置は内視鏡２との通信機能を有さないため、内視鏡２にコマンドを送信しない。内視鏡２は、電源ＯＮ後、前述した一定時間後に何らかのコマンドを受信しなかった場合は、画像処理装置３Ｂと接続したと判断し、カウント処理を行うことにより、画像処理装置３Ｂと接続した時の通電回数をカウントする。具体的には、以下の動作を行う。
【０１３７】
接続装置の電源をＯＮした後、ＣＣＤ駆動電源１８から供給された電源により、レギュレータ１９により電圧レベルの変換を行った後、電源電圧検出器２３、ＣＰＵ２１、不揮発性メモリ２０、セレクタ２２に電源を供給する。
【０１３８】
ＣＰＵ２１は内部のＲＯＭに格納されたプログラムにより動作を開始し、ＣＰＵ２１内のタイマをスタートさせると共に、図２２に示すように接続装置から送信されるコマンドの受信待ちを行う（Ｓ２１１）。
【０１３９】
電源がＯＮされてから一定時間内に何らかのコマンドを初めて受信した場合は、ステップＳ２１２の受信したコマンドに対する処理を行い、内視鏡２の内部で自動的にはカウント処理は行わないでステップＳ２１１に戻り、再びコマンドの受信待ちとなる。
【０１４０】
一方、何らかのコマンドも受信しなかった場合は、ステップＳ２１３で（電源ＯＮから）受信しない状態が一定時間経過したか否かを判断し、一定時間以内であればコマンドの受信待ちとなり、一定時間経過後は、内視鏡２と通信機能を有しない画像処理装置３Ｂと接続したと判断し、内視鏡２の内部で図１５のメモリカウント処理を自動的に行う（Ｓ２１４）。
【０１４１】
図１９、２０、２１、２２のカウント処理により、検査又は診察時に使用される画像処理装置３Ａ、３Ｂと内視鏡２が接続した場合のみの通電回数をカウントする事が出来、これより検査又は診察時の使用回数を得る事ができる。
【０１４２】
一方、内視鏡２が図１の洗滌装置３Ｃと接続した場合には、洗滌装置３Ｃが内視鏡２の洗滌（リプロセス）を行った後、内視鏡関連データの内、リプロセス回数データについて（リプロセス回数の）カウント処理を行う事により、洗滌装置３Ｃのリプロセス回数を知る事ができてもよい。動作は、図１９、２０のフローチャートにおいて、接続装置（洗滌装置３Ｃ）がＳ１６２でカウントコマンドの代わりにリプロセス回数カウント指示データを含んでいる、リプロセス回数カウントコマンドを内視鏡２へ送信し、Ｓ１８２〜Ｓ１８６でリプロセス回数のカウント処理を行う事によって行われる。
【０１４３】
図２３は、内視鏡２内の不揮発性メモリ２０に格納される内視鏡関連データの内、洗浄関連情報（リプロセス完了時刻、洗浄指示内容データ、オートリークテスト結果、リプロセス実行者名、ノズルつまりチェック）を自動的にクリアする処理の動作を示す。  
接続装置の電源をＯＮした後、ＣＣＤ駆動電源１８から供給された電源により、レギュレータ１９により電圧レベルの変換を行った後、電源電圧検出器２３、ＣＰＵ２１、不揮発性メモリ２０、セレクタ２２に電源を供給する。
【０１４４】
ＣＰＵ２１は内部のＲＯＭに格納されたプログラムにより動作を開始し、ＣＰＵ２１内のタイマをスタートさせ、電源がＯＮされてから一定時間経過したか否かを判断する（Ｓ２２１）。
【０１４５】
電源がＯＮされてから一定時間経過していない場合には、一定時間経過待ちの動作を継続し、一定時間経過した場合は、内視鏡２が検査、診察などに使用されたと判断し、洗浄関連情報に対して、図８のメモリクリア処理を行う（Ｓ２２２）。これにより、最新でない（古い）洗浄関連情報を用いる事による誤動作を防ぐ事ができる。
【０１４６】
次に、複数の内視鏡関連データの内、個々のデータについての具体的な処理方法について説明する。不揮発性メモリ２０又はＣＰＵ２１内のＲＯＭに書き込まれる内視鏡関連データの種類及びその内容を図２４に示す。
【０１４７】
なお、各々の内視鏡関連データの処理において、書込み又はクリアは図５、図６に示す書込み処理又はクリア処理を行い、読出しは図１１、図１２に示す読出し処理を行い、書込み許可は図１６、図１７の書込み許可処理を行い、カウント又はリプロセスカウントは図１９、図２０のカウント処理を行う。
【０１４８】
図２５は、内視鏡２内の不揮発性メモリ２０に格納される内視鏡関連データの内、初検査日、施設名又は保証期限を読み出した時の接続装置の処理を示す。    接続装置は、内視鏡２及び接続装置側にある（図示しない）接続検知手段により、内視鏡２と接続したか否かの判断を行い（Ｓ２３１）、接続を検知した場合には、まず最初にＩＤデータの読出しを行う（Ｓ２３２）。
【０１４９】
そして、次のステップＳ２３３でこのＩＤデータの読出しが正常に終了したか否かを確認し、正常に読出し処理が行えた場合は、初検査日、施設名又は保証期限の読出しを行う（Ｓ２３４）。
【０１５０】
そして、次のステップＳ２３５でこの読出しが正常に終了したか否かを確認し、正常に行えた場合は、次のステップＳ２３６で内視鏡２内に初検査日、施設名又は保証期限が格納されているか否かの判断を行う。
【０１５１】
この判断は初検査日又は施設名がクリアデータ（例えばＡｌｌ“００”ｈ）、又は工場出荷時などに設定した初期値であるかを確認することにより行う。そして、クリアデータ又は初期値である場合は、内視鏡２内に初検査日、施設名又は保証期限が格納されてないと判断し、クリアデータ又は初期値でない場合は、内視鏡２内に初検査日、施設名又は保証期限が格納されていると判断する。
【０１５２】
そして、初検査日、施設名又は保証期限が格納されていると判断した場合には、接続装置内のＲＴＣ３９より得られる接続装置の現在の使用日時が、初検査日から保証期間（たとえば１年）を越えているか否か若しくは保証期限を越えているか否かを確認し（Ｓ２３７）、保証期間を経過している場合には、点検時期である事を警告する。又は、接続装置内のＲＴＣ３９より得られる、接続装置の現在の使用日時が保証期限を経過している場合も、同様に点検時期である事を警告する（Ｓ２３８）。
【０１５３】
警告する方法としては、モニタ４ａ、４ｂ、４ｄの表示、フロントパネルのＬＥＤ４２の点灯、点滅、ブザー４３による警告などで行われる。モニタ４ａ、４ｂ、４ｄへの表示は、図２６に示すように、点検時期である事を示す表示７０を一定時間行ってもよい。  
この警告の処理の後、終了する（Ｓ２４２）。
【０１５４】
一方、ステップＳ２３６で、初検査日、施設名、又は保証期限が格納されていない場合には、初検査日、施設名、又は保証期限の書込みを自動的に行う（Ｓ２３９）。初検査日はＣＰＵ２９、ＣＴＣ３５、ＲＴＣ３９により作成した、接続装置の使用している現在の日付でもよく、又、初検査日、施設名、又は保証期限はキーボード４４により、ユーザがあらかじめ入力し、ＲＡＭ３１又はＲＯＭ３０に格納したものでもよい。
【０１５５】
そして、この書込み処理が正常に終了したか否かの確認を行い（Ｓ２４０）、正常に行えた場合は、本処理を終了する（Ｓ２４２）。一方、書込み処理が正常に終了しなかった場合には、処理が正常に行われなかった事を警告し（Ｓ２４１））処理を強制終了する。
【０１５６】
また、ステップＳ２３３、或いはＳ２３５の読出しが正常に行われなかった場合にも、ステップＳ２４１で処理が正常に行われなかった事を警告し、処理を強制終了する。警告する方法は、モニタ４ａ、４ｂ、４ｄへの表示、フロントパネルのＬＥＤ４２の点灯、点滅・ブザー４３による警告などが行われる。
【０１５７】
図２５の処理は、接続する複数の接続装置のうち、一部の装置のみが行ってもよい。  
その時は、前記一部の装置のみが本処理機能を有するようにしてもよく、どの装置が接続したかを検出する手段を別に設けるようにしてもよい。
【０１５８】
なお、本処理は、接続装置の電源ＯＮ時、又は接続装置に対して内視鏡２を交換して接続した時に、自動的に行ってもよく、又はキーボード４４又は操作パネル４１にあるスイッチを押す事により行うようにしてもよい。  
また、初検査日、施設名、保証期限の書込みは、本処理に示すように自動的に行う他、図３１で示すユーザ関連データの書込み処理によって、行ってもよい。本処理より、
（ａ）接続装置はＩＤデータに対応づけて初検査日、施設名、又は保証期限をＣＰＵ２９、ＲＡＭ３１、ＲＯＭ３０で記録、管理することにより個々の内視鏡２について初検査日、施設名、又は保証期限を記録・管理できる。
【０１５９】
（ｂ）内視鏡２内の不揮発性メモリ２０に初検査日、施設名、又は保証期限が格納されていない時は、自動的に格納する事ができる。  
（ｃ）初検査日又は保証期限から保証期間内かを確認する事により、内視鏡２の点検時期についてユーザに知られる事ができる。  
なお、本処理においては、ＩＤデータの読み出しを行わずに初検査、施設名、保証期限について処理を行ってもよい。
【０１６０】
図２７は内視鏡２内の不揮発性メモリ２０に格納される内視鏡関連データの一部又は全部をモニタ４ａ、４ｂ、４ｄに表示し、又は画像記録装置５ａ、５ｂ、ファイリング装置６ａ、６ｂ、６ｃに記録する処理を示す。
【０１６１】
接続装置は、内視鏡及び接続装置側にある（図示しない）接続検知手段により内視鏡２と接続したか否かの判断を継続して行い（Ｓ２５１）、接続を検知した場合には内視鏡２内の不揮発性メモリ２０に格納されている内視鏡関連データの読出しを行う（Ｓ２５２）。
【０１６２】
読出しは、個々のデータの種類ごとに読出してもよく、全データを一括して読出してもよい。  
なお内視鏡関連データには、ＩＤデータが含まれるように設定してもよい。
【０１６３】
そして、正常に読出しが終了したか否かの確認を行い（Ｓ２５３）、正常に読出しが終了した場合には、モニタ４ａ、４ｂ、４ｄへの表示又は画像記録装置５ａ、５ｂ、ファイリング装置６ａ、６ｂ、６ｃへの記録を行い（Ｓ２５４）、この処理を終了する（Ｓ２５６）。  
モニタ４ａ、４ｂ、４ｄへの表示は、図２８に示すように、内視鏡関連データ表示７１を一定時間行った後、自動的に消去してもよく、キーボード４４又は操作パネル４１にある消去スイッチを押す事により消去するようにしてもよい。
【０１６４】
一方、画像記録装置５ａ、５ｂ、ファイリング装置６ａ、６ｂ、６ｃに記録する場合には、接続装置内のＣＰＵ２９がＳＩＯ３２を経由して画像記録装置５ａ、５ｂ、ファイリング装置６ａ、６ｂ、６ｃに内視鏡関連データを送信する事により行ってもよく、映像信号切替え回路３７から出力される内視鏡画像に内視鏡関連データを表示し、その内視鏡画像を記録するようにしてもよい。
【０１６５】
一方、ステップＳ２５３で正常に読出しが終了しなかった場合は、ステップＳ２５５で処理が正常に行われなかった事を警告し、処理を強制終了する（Ｓ２５６）。なお、警告する方法は、モニタ４ａ、４ｂ、４ｄへの表示、フロントパネルのＬＥＤ４２の点灯、点滅、ブザー４３による警告などで行われる。
【０１６６】
なお、本処理は、接続装置の電源ＯＮ時、又は接続装置に対して内視鏡２を交換して接続した時に、自動的に行ってもよく、又はキーボード４４又は操作パネル４１にあるスイッチを押す事により行うようにしてもよい。  
また、本処理の内、データ読み出し（Ｓ２５２）では、毎回図１１、１２の読み出し処理を行う方法の他、同じ内視鏡２を接続している場合は、内視鏡関連データを接続装置内のＲＯＭ３０又はＲＡＭ３１に格納しておき、２回目以降のデータ読み出し時には、ＲＯＭ３０又はＲＡＭ３１から読み出すようにしてもよい。
【０１６７】
本処理より、
（ａ）接続装置はＩＤデータに対応づけて内視鏡関連データの一部又は全てをＣＰＵ２９、ＲＡＭ３１、ＲＯＭ３０で記録、管理することにより個々の内視鏡２について内視鏡関連データの一部又はすべてを記録・管理できる。  
（ｂ）内視鏡関連データについて表示を行う事により、ユーザに情報提供を行う事ができる。  
（ｃ）画像記録装置又はファイリング装置に内視鏡関連データの一部又は全てをＩＤデータに対応づけて記録、管理する事により内視鏡２毎の初検査日、施設名の記録・管理が行える。
【０１６８】
図２９、３０に内視鏡２内の不揮発性メモリ２０に格納される内視鏡関連データのうち、洗浄関連情報（リプロセス完了時刻、洗浄指示内容データ、オートリークテスト結果、リプロセス実行者名、ノズルつまりチェック）に関する接続装置の処理を示す。  
図２９は接続装置が内視鏡２と通信機能を有する画像処理装置３Ａもしくは内視鏡２と通信機能を有するファイリング装置３Ｄである場合の処理を示す。
【０１６９】
内視鏡及び接続装置側にある（図示しない）接続検知手段により、内視鏡２と接続したか否かの判断を行い（Ｓ２６１）、接続を検知した場合には最初にＩＤデータの読出しを行う（Ｓ２６２）。
【０１７０】
そして、正常に読出し処理が終了したか否かの確認を行い（Ｓ２６３）、正常に終了した場合には洗浄関連情報の読出しを行う（Ｓ２６４）。  
この読出しは、データの種類ごとに読み出してもよく、全データを一括して読み出してもよい。
【０１７１】
そして、正常に読出し処理が終了したか否かの確認を行い（Ｓ２６５）、正常に終了した場合には前記洗浄関連情報のクリアを行う（Ｓ２６６）。その後、正常にクリア処理が終了したか否かの確認を行い（Ｓ２６７）、正常に終了した場合には前記洗浄関連情報をモニタ４ａ、４ｂ、４ｄ又はＬＥＤ４２で表示して（Ｓ２６８）この処理を終了する（Ｓ２７０）。
【０１７２】
一方、ステップＳ２６３或いはＳ２６５で正常に読出し処理、又はステップＳ２６７で正常にクリア処理が終了しなかった場合は、ステップＳ２６９で処理が正常に行われなかった事を警告し、処理を強制終了する（Ｓ２７０）。警告する方法は、モニタ４ａ、４ｂ、４ｄへの表示、フロントパネルのＬＥＤ４２の点灯、点滅、ブザー４３による警告などが行われる。
【０１７３】
なお、洗滌関連情報読み出しを正常に行った後に、洗滌関連情報をクリアせずに、表示処理を行ってもよい。  
また、本処理は、接続装置の電源ＯＮ時、又は接続装置に対して内視鏡２を交換して接続した時に、自動的に行ってもよく、又はキーボード４４又は操作パネル４１にあるスイッチを押す事により行うようにしてもよい。
【０１７４】
図３０は接続装置が内視鏡２と通信機能を有する洗浄装置３Ｃである場合の処理を示す。  
内視鏡及び接続装置側にある（図示しない）接続検知手段により、内視鏡２と接続したか否かの判断を行い（Ｓ２７１）、接続を検知した場合は最初にＩＤデータの読み出し処理を行う（Ｓ２７２）。
【０１７５】
その後、正常に読出し処理が終了したか否かの確認を行い（Ｓ２７３）、正常に終了した場合には洗浄関連情報の読出しを行う（Ｓ２７４）。この読出しは、データの種類ごとに読出してもよく、全データを一括して読出してもよい。
【０１７６】
その後、正常に読出し処理が終了したか否かの確認を行い（Ｓ２７５）、正常に終了した場合には前記洗浄関連情報をモニタ４ａ、４ｂ、４ｄ又はＬＥＤ４２に表示し（Ｓ２７６）、さらに前記洗浄関連情報のクリアを行う（Ｓ２７７）。  前記洗浄関連情報のクリアの処理の後、正常にクリア処理が終了したか否かの確認を行い（Ｓ２７８）、正常に終了した場合には内視鏡２を洗浄するための洗浄修理を行い（Ｓ２７９）、さらに行った洗浄処理に関する洗浄関連情報の書込みを行う（Ｓ２８０）。その後、書込み処理が正常に終了したか否かの確認を行い（Ｓ２８１）、正常に終了した場合には本処理を終了する（Ｓ２８３）。
【０１７７】
一方、ステップＳ２７３或いはＳ２７５の読出し、ステップＳ２７８のクリア処理、或いはステップＳ２８１の書込みが正常に終了しなかった場合は、ステップＳ２８１でその処理が正常に行われなかった事を警告し、処理を強制終了する。警告する方法は、モニタ４ａ、４ｂ、４ｄへの表示、フロントパネルのＬＥＤ４２の点灯・点滅、ブザー４３による警告などが行われる。
【０１７８】
又、図３０の処理において、ＩＤデータの読み出し処理（Ｓ２７２）、洗浄関連情報の表示（Ｓ２７６）、又は洗浄関連情報（リプロセス完了時刻、洗浄指示内容データ、オートリークテスト結果、リプロセス実行者名）の読出し処理（Ｓ２７４）又は洗滌関連情報クリア処理（Ｓ２７７）は省略してもよい。
【０１７９】
又は、図２９、３０の処理において、ＩＤデータの読出しは省略してもよい。  なお、本処理とは別に、内視鏡２側では、図２３の洗浄関連情報クリア処理を行っても良く、その場合は、図２９、３０の洗浄関連情報の読出しは、内視鏡２に電源供給してから、内視鏡２側で設定した一定時間内に行う必要がある。
【０１８０】
本処理により、
（ａ）洗浄関連情報を表示する事により、内視鏡２の洗浄関連情報を確認できる。  
（ｂ）ＩＤデータに対応づけて洗浄関連情報をＣＰＵ２９、ＲＡＭ３１、ＲＯＭ３０で記録、管理することにより個々の内視鏡２について洗浄関連情報を記録・管理できる。
【０１８１】
（ｃ）洗浄装置３Ｃと接続時には、洗浄後に洗浄関連情報を書き込む事により、最新の洗浄関連情報を格納できる。  
（ｄ）洗浄関連情報を読出し後、洗浄関連情報をクリアする事により、最新でない洗浄関連情報をクリアできるため、最新でない洗浄関連情報による誤動作を防ぐ事ができる。
【０１８２】
図３１に内視鏡２内の不揮発性メモリ２０に格納される内視鏡関連データのうち、例えば、サービス契約有無、ユーザコメント、メーカコメント、サービスコメント、備品ナンバ、初検査日、施設名、保証期限、修理記録、点検記録等のユーザの関連データの書込みについての接続装置の処理を示す。  
接続装置は、内視鏡２及び接続装置側にある（図示しない）接続検知手段により、内視鏡２と接続したか否かの判断を行い（Ｓ２９１）、接続を検知した場合にはユーザ関連データの読出しを行う（Ｓ２９２）。
【０１８３】
その後、正常に読出し処理が終了したか否かの確認を行い（Ｓ２９３）、正常に終了した場合はユーザ関連データの表示の処理を行う（Ｓ２９４）。  
この表示処理で、キーボード４４又は操作パネル４１にあるセットアップキー又は専用表示キーなどの表示スイッチを押す事によりモニタにユーザ関連データを表示する。表示例を図３２に示す。例えばサービス契約有無、ユーザコメント、メーカコメント、サービスコメント、備品ナンバ、初検査日、保証期限、施設名、修理記録、点検記録等、書込みを行うデータの他、スコープの種別、ＩＤデータ、前回検査時刻、リプロセス完了時刻、カウントデータ、リプロセス回数データ、バージョンデータなどの、その他の内視鏡関連データを表示可能とする（その他の内視鏡関連データは、図２７の内視鏡関連データの読み出し、表示処理により行っている。）。
【０１８４】
この表示の後、ユーザー関連データ書込みを行う（Ｓ２９６）。キーボード４４又は操作パネル４１にあるカーソル移動キーを押す事により、図３２内のカーソル７２を、書込みを行うユーザ関連データに移動し、キーボード４４又は操作パネル４１にある文字入力キーにより、文字の入力を行う。入力した文字は、カーソル７２の位置に表示され、表示データが変更される。その後、キー４４内又は操作パネル４１内のリターンキー又は、専用書込みキーなどを押す事により、入力したデータについて図５、図６の書込み処理を行う。そして、書込み処理が正常に終了した場合は、この処理を終了する（Ｓ２９９）。
【０１８５】
なお、図３２の表示は、キーボード４４又は操作パネル４１にあるセットアップキー、専用表示キーなどの表示スイッチを再び押す事により、又は専用の消去キーなどのスイッチを押す事により、表示の消去を行う。
【０１８６】
一方、ステップＳ２９３、Ｓ２９７の読出し又は書込みにおいて、正常に終了しなかった場合はステップＳ２９８で、処理が正常に行われなかった事を警告し、処理を強制終了する。
【０１８７】
この警告する方法は、モニタ４ａ、４ｂ、４ｄへの表示、フロントパネルのＬＥＤ４２の点灯・点滅、ブザー４３による警告などが行われる。  
本処理は、接続する複数の接続装置のうち、一部の装置のみが行ってもよい。  その時には、一部の接続装置のみが本処理を行う機能を有するようにしてもよく、また、接続する装置を判別するための検出手段を内視鏡２側又は接続装置側に設けるようにしてもよい。
【０１８８】
なお、本処理は、接続装置の電源ＯＮ時、又は接続装置に対して内視鏡２を交換して接続した時に、自動的に行ってもよく、又はキーボード４４又は操作パネル４１にあるスイッチ（前述したセットアップキーでもよい）を押す事により行うようにしてもよい。
【０１８９】
また、本処理の内、データ読み出し（Ｓ２９２）では、毎回図１１、１２の読み出し処理を行う方法の他、同じ内視鏡２を接続している場合は、内視鏡関連データを接続装置内のＲＯＭ３０、ＲＡＭ３１に格納しておき、２回目以降のデータ読み出し時には、ＲＯＭ３０、ＲＡＭ３１から読み出すようにしてもよい。
【０１９０】
本処理より、
（ａ）ユーザは、個々の内視鏡２について、ユーザ関連データを記録、読出す事ができるため、ユーザ関連情報について内視鏡２毎に記憶、読出す事ができる。  図３３に内視鏡２内の不揮発性メモリ２０に格納されるデータのうち、特に重要であるデータについて、書込み処理を行う前に書込み許可を行う際の接続装置の処理を示す。
【０１９１】
不揮発性メモリ２０に格納される内視鏡関連データのうち、特に重要であるデータ（例えばスコープ種別、スコープ先端部構成、洗浄チューブ、アダプタデータ、ＣＣＤ種別データ、ＣＣＤの光学フィルタ、スコープチャンネル情報、スコープＳＷ、バージョンデータ、ＩＤデータなど）は、接続装置の誤動作などによる書込み処理により、容易にデータの書き換えが行われると、そのデータを用いた処理についても誤動作となる。
【０１９２】
この誤動作を防ぐために、前記重要であるデータについては、データ書込み許可を行った次の処理が書込みである場合のみ書込みが可能になるように処理を行う。
【０１９３】
具体的には、以下の処理を行う。  
接続装置は、内視鏡２及び接続装置側にある（図示しない）接続検知手段により、内視鏡２と接続したか否かの判断を行い（Ｓ３０１）、接続を検知した場合に書込み許可の処理を行う（Ｓ３０２）。
【０１９４】
その後、書込み許可の処理が正常に終了したか否かの判断を行い（Ｓ３０３）、正常に終了した場合にはデータの書込みを行う（Ｓ３０４）。また、この後に、データの書込み処理が正常に終了したか否かの確認を行い（Ｓ３０５）、正常に終了した場合にはこの処理を終了する（Ｓ３０７）。
【０１９５】
一方、ステップＳ３０３の書込み許可及びステップＳ３０５の書込みが正常に終了しなかった場合は、ステップＳ３０６で処理が正常に行われなかった事を警告し、処理を強制終了する。警告する方法は、モニタ４ａ、４ｂ、４ｄへの表示、フロントパネルのＬＥＤ４２の点灯・点滅、ブザー４３による警告などが行われる。
【０１９６】
本処理は、一部の接続装置（例えば、内視鏡２と通信処理を有するファイリング装置３Ｄのみ）が行うようにし、例えば工場出荷時または、点検・修理時のみ書換え可能にするように処理を行ってもよい。  
その際には、前記一部の接続装置のみが本処理を行う機能を有するようにしてもよく、また、接続装置を判別するための検出する手段を設けるようにしてもよい。
【０１９７】
図３５に内視鏡２内の不揮発性メモリ２０に格納されるデータの内、カウントデータについて内視鏡２と通信機能を有する画像処理装置３Ａと接続した場合の装置の処理を示す（装置３Ｃ，３Ｄは、本カウント処理を有さない）。  
この接続装置３Ａは、内視鏡及び接続装置側にある（図示しない）接続検知手段により、内視鏡２と接続したか否かを判断し（Ｓ３２１）、接続を検知した場合には最初にＩＤデータ又はスコープ種別の読出し処理を行う（Ｓ３２２）。
【０１９８】
その後、読み出し処理が正常に終了したか否かの確認を行い（Ｓ３２３）、正常に終了した場合にはカウントデータの読出し処理を行う（Ｓ３２４）。
【０１９９】
この場合にも続いて正常に、カウントデータの読出しが終了したか否かの確認を行い（Ｓ３２５）、正常に終了した場合にはカウント処理を行い、カウントデータを＋１する（Ｓ３２６）。
【０２００】
そして、そのカウント処理が正常に終了したか否かの確認を行い（Ｓ３２７）、正常に終了した場合には、続いてステップＳ３２８のカウントデータが一定値以上か否かを確認し、一定値以上の場合には、点検時期である事を警告して（Ｓ３２９）、本処理を終了し（Ｓ３３１）、一定値未満の場合には警告を行わないで本処理を終了する。警告する方法としては、モニタ４ａ、４ｂ、４ｄへの表示、フロントパネルのＬＥＤ４２の点灯・点滅、ブザー４３による警告などが行われる。
【０２０１】
モニタ４ａ、４ｂへの表示は、図２６に示すように、点検時期である事を示す表示７０を一定時間行ってもよい。また、一定値は、接続装置のＲＯＭ３０、ＲＡＭ３１にあらかじめ格納しておいてもよく、ＩＤデータ又はスコープ種別データによって変更してもよい。
【０２０２】
一方、ステップＳ３２３或いはＳ３２５で読出し処理又はＳ３２７でカウント処理が正常に終了しなかった場合は、ステップＳ３３０で処理が正常に行われなかった事を警告し、処理を強制終了する。  
警告する方法は、モニタ４ａ、４ｂへの表示、フロントパネルのＬＥＤ４２の点灯・点滅、ブザー４３による警告などが行われる。
【０２０３】
なお、本処理においては、ＩＤデータ又はスコープ種類の読み出しを行わずにカウント処理を行ってもよい。  
また、キーボード４４内又は操作パネル４１内のリターンキー又は入力指示キーなどを押す事により、カウントを行うようにしてもよく、又はカウント回数の書込みを行ってもよい。
【０２０４】
なお、内視鏡２側では、本処理とは別に図２２に示すように、一定時間内に何らかのコマンドを受信しない場合に、内部で自動的にカウント処理を行う場合は、内視鏡２と通信機能を有する接続装置３Ａ，３Ｃ，３Ｄは内視鏡２に電源を供給後、内視鏡２で設定する一定時間内に、何らかのコマンドを送信する必要がある。
【０２０５】
また、内視鏡２が通信機能を有さない接続装置と接続した場合は、内視鏡２は、一定時間内に接続装置から何らかのコマンドを受信しないため、図２２に示すように内視鏡２の内部でカウントを行う。
【０２０６】
本処理より、
（ａ）接続装置はＩＤデータに対応づけてカウントデータ（通電回数）をＣＰＵ２９、ＲＡＭ３１、ＲＯＭ３０で記録、管理することにより個々の内視鏡２についてカウントデータを記録、管理できる。  
（ｂ）接続装置が画像処理装置３Ａ，３Ｂと接続した場合のみ、通電回数をカウントを行うようにするため、検査又は診察時の使用回数を求める事を出来、精度のよい点検情報として用いる事ができる。
【０２０７】
（ｃ）カウントデータが一定値を越えた場合は、点検時期である事を警告するようにする事により、内視鏡２の適切な点検時期をユーザに知らせる事ができる。（ｄ）画像記録装置又はファイリング装置にカウントデータをＩＤデータに対応づけて記録、管理する事により内視鏡２毎の点検情報（カウントデータ）の記録、管理が行える。
【０２０８】
一方、内視鏡２内の不揮発性メモリ２０に格納させるデータの内、リプロセス回数データに対する処理は、内視鏡２と通信機能を有する洗滌装置３Ｃと接続した場合のみ行われ、動作の詳細は、図３５において、カウントデータをリプロセスカウントデータと置き換えたものと同じとする。
【０２０９】
この処理により、
（ａ）リプロセスカウントデータ（洗滌回数）をＩＤデータに対応づけて洗滌装置３Ｃ内のＣＰＵ２９、ＲＡＭ３１、ＲＯＭ３０で記録、管理する事により個々の内視鏡２についてリプロセスカウントデータを管理できる。
【０２１０】
（ｂ）リプロセス回数（洗滌回数）をカウントするようにするため、内視鏡２の点検情報として用いる事ができる。
【０２１１】
（ｃ）リプロセス回数データが一定値を超えた場合は、点検時期である事を警告するようにする事により、内視鏡２の適切な点検時期をユーザに知らせる事ができる。
【０２１２】
（ｄ）画像処理装置又はファイリング装置にリプロセス回数データをＩＤデータに対応づけて記録、管理する事により内視鏡２毎の点検情報（リプロセス回数データ）の記録、管理が行える。
【０２１３】
図３６は、接続装置が画像処理装置３Ａである場合に、前回検査時刻に関する処理を示す。  
接続装置（画像処理装置３Ａ）は、内視鏡２及び接続装置側にある（図示しない）接続検知手段により、内視鏡２と接続したか否かの判断を行い、（Ｓ３３２）、接続を検知した場合には、最初にＩＤデータの読み出しを行う（Ｓ３３３）。  
その後、正常に読み出しが行えたかの確認を行い（Ｓ３３４）、正常に終了した場合には、前回検査時刻の読み出しを行う（Ｓ３３５）。
【０２１４】
また、この前回検査時刻の読み出しが正常に終了したか否かの確認を行い（Ｓ３３６）、正常に終了した場合には前回検査時刻の表示を行う（Ｓ３３７）。
【０２１５】
この表示をモニタで行う場合、その表示は図３７の符号７３で示すように、前回検査時刻であることを示す表示を一定時間行ってもよい。又、キーボード４４又は操作パネル４１にある消去スイッチにより消去を行ってもよい。
【０２１６】
この表示の後、内視鏡２内の不揮発性メモリ２０へ、ＣＰＵ２９、ＲＴＣ３９などから得られる接続機器の現在の検査時刻の書込み処理を行う（Ｓ３３８）。そして書込み処理が正常に終了した場合（Ｓ３３９）は、この処理を終了する（Ｓ３４０）。
【０２１７】
一方、ステップＳ３３４、Ｓ３３６、Ｓ３３９で正常に書込み又は読み出し処理が終了しなかった場合は、Ｓ３４１で処理が正常に行われなかったことを警告し、処理を強制終了する。  
この警告する方法は、モニタ４ａへの表示、フロントパネルのＬＥＤ４２の点灯・点滅、ブザー４３による警告などが行われる。
【０２１８】
本処理は、画像処理装置３Ａと接続時に行われるものであるが、画像処理装置３Ａのみが本処理を行う機能を有するようにしてもよく、また、接続する装置を判別するための検出手段を内視鏡２側又は接続装置側に設けるようにしてもよい。
【０２１９】
また、図３６において、Ｓ３３７の前回検査時刻の表示とＳ３３８、Ｓ３３９の検査時刻書込みは、順序は逆になってもよく、Ｓ３３９の表示処理を省略してもよい。
【０２２０】
本処理により、
（ａ）ユーザは、内視鏡２が画像処理装置３Ａと接続したときの前回の検査時刻を知ることが出来る。  
（ｂ）図３７の符号７３に示すように、図２４の内視鏡関連データのうち、リプロセス完了時刻と共に表示し、２つの時刻を比較することにより、内視鏡２が検査後に洗滌（リプロセス）したか、検査前に洗滌したかを確認する事ができ、よって内視鏡２が現在、洗滌されているか、未洗滌であるかを判断することが出来る。
【０２２１】
（ｃ）画像記録装置（５ａ）又はファイリング装置（６ａ）に前回検査時刻をリプロセス完了時刻と共に、ＩＤデータに対応付けて記録、管理することにより内視鏡２毎の洗滌状況、および検査状況の記録、管理が行える。
【０２２２】
なお、不揮発性メモリ２０又はＣＰＵ２１内のＲＯＭに書き込まれる内視鏡関連データは、例えば工場出荷前、リペア時などの際に、データの書き換えが可能な接続装置（例えばファイリング装置３Ｄ）により、全てのデータ又は一部のデータを以下のようにあらかじめ書き込んでおいてもよい（書込み処理は図５、図６に示す）。
【０２２３】
（１）工場出荷前又はリペア時に確定しているデータ（例えばスコープ種別、スコープ先端部構成、洗滌チューブ・アダプタデータ、ＣＣＤ種別データ、ＣＣＤの光学フィルタ、スコープチャンネル情報、スコープＳＷ、ＩＤデータ、メーカコメント、サービスコメントなど）が格納される領域には、内視鏡２毎に確定するデータをセレクトして書き込む。  
（２）回数データ（例えばカウントデータ、リプロセス回数データなど）が格納されるデータ領域には、０値又は内視鏡２の使用状況に応じて確定するプリセット値を書き込む。
【０２２４】
（３）バージョンデータは、ＣＰＵ２１内のＲＯＭに書き込まれるプログラムのバージョンに応じて確定する値を書き込む。  
（４）工場出荷後、リペア後、又はユーザ使用時に確定するデータ（例えばリプロセス完了時刻、洗滌指示内容データ、オートリークテスト結果、リプロセス実行者名、初検査日、施設名、ユーザコメント、保証期限、サービス契約有無、ノズルつまりチェック、前回検査時刻、備品ナンバ、修理記録、点検記録など）が格納される領域には、工場出荷後又はリペア終了後からまだデータが書き込まれていない事を確認できるように、ある初期値を書き込む。これより、例えば図２５のＳ２３６にあるように、データ格納領域にデータが格納されているかを判断する事ができる。
【０２２５】
以上説明した本実施の形態は以下の効果を有する。  
本実施の形態より、書換え可能な記憶部８を内視鏡２側に設ける事により、初検査日、施設名、ユーザ入力データなど書換えが行われる内視鏡関連データについて、書込み、読出しが可能となる。これより、内視鏡関連データが個々の内視鏡毎に記憶されるため、内視鏡関連データの情報管理が容易となる。
【０２２６】
また、複数の内視鏡の全ての内視鏡関連データを、接続する周辺装置で記録、管理する必要がなくなるため、周辺装置内のメモリ、記録部の小型化により、周辺装置の小型化につながり、ユーザにとって扱いやすい。
【０２２７】
また、周辺装置との通信を行うための信号線を１線のシリアルインターフェイスで行い、また内視鏡１内の記憶部８及び通信部（通信機能）７に供給される電源部を、固体撮像素子に供給する電源部と共用する事により、内視鏡２及び周辺装置の接続部の小型化につながるため、ユーザにとって扱いやすい。
【０２２８】
そして、内視鏡２内の記憶部８に、内視鏡関連データが正しい情報であるかを確認するための確認情報を含み、内視鏡関連データが正しいかを確認する確認手段を内視鏡側に有する事により、内視鏡関連データの信頼度を向上させる事ができる。
【０２２９】
例えば内視鏡関連データの書込み中に、停電又は内視鏡２と周辺装置の着脱が行われて、内視鏡関連データの書込みが正しく行われなかった時に、前記確認情報でデータが正しく書き込まれたものかを確認する事ができる。
【０２３０】
また、内視鏡２内の記憶部８に、内視鏡関連データのバックアップを更に記憶する事で、内視鏡関連データが破壊された場合にもバックアップデータを読み出して、対応可能する事ができる。
【０２３１】
一方、前記内視鏡関連データの一部又は全てについ、書込みを行う前に書込み許可を行う事により、接続装置の誤動作による誤った書込み処理が行われた場合に、誤書込みを防止する事ができる。
【０２３２】
また、内視鏡２内の記憶部に、前記記憶部８内に前記初検査日又は施設名が記憶されてない時は、前記周辺装置が自動的に前記初検査日又は施設名を書き込む事により、ユーザに負担をかけずに、書込みを行う事ができる。
【０２３３】
前記初検査日から一定の期間が経過している場合は、点検時期である事を警告する警告手段を周辺装置側に有する事により、ユーザに点検時期を知らせる事が可能となり、点検を怠るために起こる故障を防止する事ができる。
【０２３４】
さらに、前記周辺装置に具備する操作手段により内視鏡関連データをモニタに表示することにより、ユーザが内視鏡関連情報をみたい時に任意に表示させる事ができる。
【０２３５】
また、ユーザが任意に書込み、読出しを行うユーザ入力データ領域を内視鏡２内の記憶部８に用意する事により、ユーザがスコープ毎に記憶しておきたいデータを記憶可能となる。
【０２３６】
さらに、前記内視鏡関連データは、前記内視鏡２の通電回数をカウントするカウントデータを含み、前記通電回数のカウントを検査又は診察時に使用する周辺装置と接続した時のみ行う事により、内視鏡２の検査、診察に使用した回数を正しく把握する事ができる。
【０２３７】
また、前記内視鏡関連データは、洗浄関連情報を含んでいるため、内視鏡２が洗浄済みであるか、どのような洗浄を行ったか、いつ洗浄を行ったか、誰が洗浄を行ったかなどの洗浄関連情報をユーザが把握する事ができ、効率のよい洗浄を行う事ができる。
【０２３８】
（第２の実施の形態）
次に本発明の第２の実施の形態を図３８ないし図５８を参照して説明する。    図３８は本発明の第２の実施の形態の内視鏡システム１′の構成を示す。本実施の形態の内視鏡システム１′は内視鏡２′及び内視鏡２と、これらの一方が接続され、内視鏡２との通信機能を有する画像処理装置３Ａと、内視鏡２との通信機能を有する画像処理装置３Ｂと、画像処理装置３Ａ及び３Ｂにそれぞれ接続されるモニタ４ａ，４ｂ、画像記録装置５ａ，５ｂ、ファイリング装置６ａ，６ｂとからなる。  
内視鏡２は第１の実施の形態で説明したように通信機能７と、記憶部８を有する。一方、内視鏡２′は通信機能７及び記憶部８を有しない。
【０２３９】
図３９は内視鏡２と画像処理装置３Ａの構成を示す。この内視鏡２は図２で示したものと同様であり、また画像処理装置３Ａも図２で示したと同様の構成である。なお、図３９ではコネクタ２５，２７の構成をより具体的に示している。    つまり、内視鏡２と画像処理装置３Ａとはコネクタ２５，２７を接続するケーブル２６で接続されている。
【０２４０】
内視鏡２の不揮発性メモリ２０に内視鏡関連データを入力及び出力（送受）する信号線はグランド線を除き、１本の信号線２６ｂである。この信号線２６ｂは内視鏡２内部で信号線４９と接続され、セレクタ２２及びＣＰＵ２１を介して不揮発性メモリ２０に接続されている。そして、信号線４９に接続された単一の入出力端により、不揮発性メモリ２０に対して内視鏡関連データを記憶したり、読み出したりできるようにしている。
【０２４１】
以下の本実施の形態では、第１の実施の形態と異なる部分を説明する。  
内視鏡関連データの内、個々のデータについての具体的な処理方法について説明する。不揮発性メモリ２０に書き込まれる内視鏡関連データの種類は図４０に示すようになる。例えば、スコープ機種名データ、ボディナンバーデータ、通電回数データ、点検回数、所有者又は施設名、…、自動ノズルつまりチェック、初検査日等のデータがある。
【０２４２】
なお、内視鏡関連データのうち一部は（例えばＩＤバージョンデータなど）不揮発性メモリ２０に格納する他、ＣＰＵ２９内のＲＯＭ、ＲＡＭに格納しても良い。  
また、各々の内視鏡関連データの処理において、書込み又はクリアは図５、６に示す書込み処理又はクリア処理を行い、読み出しは図１１、１２に示す読み出し処理を行い、書込み許可は図１６、１７の書込み許可処理を行い、カウントは図１９、２０のカウント処理を行う。
【０２４３】
図４１、４２に、内視鏡２と画像処理装置３Ａが接続された場合の一連の処理動作を示すフローチャート図を示す。  
画像処理装置３Ａが内視鏡２と接続後に電源ＯＮ後、又は画像処理装置３Ａが電源ＯＮのまま内視鏡２を交換した後（Ｓ４０５）、画像処理装置３Ａはこの画像処理装置３Ａ側にある（図示しない）接続検知手段により内視鏡２と接続した事を検知し、内視鏡２との通信処理（読み出し・書込み・書込み許可・カウントなど）を行っている事を示す通信中の表示を行う（Ｓ４０６）。
【０２４４】
図４３に通信中の表示の一例を示す。１７７は内視鏡２で撮像された内視鏡観察画像、１７８は内視鏡観察画像１７７に関連する情報（ＩＤＮｏ．患者名、性別、年齢、生年月日、検査現在の日時、画像処理装置２に接続されている記録装置の接続情報及び記録枚数など）、１７１は内視鏡２の各スイッチの機能情報、１７６に通信中である事を示す表示（例えば「Ｐｌｅａｓｅ  ｗａｉｔ，ｔｒａｎｓｆｅｒｒｉｎｇ  ｄａｔａ…」）を示す。
【０２４５】
通信中の場合は通信中である事を示す表示１７６及び内視鏡２の各スイッチ２４の機能情報１７１の表示を行うことにより、ユーザが通信中に画像処理装置３Ａの電源ＯＦＦ又は内視鏡２の交換を行う事を防止する。
【０２４６】
なお、通信中の表示（Ｓ４０６）は、Ｓ４０７又はＳ４０７〜Ｓ４１０の処理後もしくは表示してから一定時間経過後（例えば約５秒後）に消去しても良く、またＳ４１１の表示（後述）と切り替わってもよく、もしくはＳ４１１の表示と両方とも表示しても良い。
【０２４７】
Ｓ４０６の表示中に、内視鏡２内の不揮発性メモリ２０に格納されている内視鏡関連データの内、例えばスコープ機種名・ボディナンバ・ユーザコメント・通電回数・点検回数・ホワイトバランスデータの各データの読み出しを行い（Ｓ４０７）、読み出したデータの内、ホワイトバランスデータを用いてホワイトバランス処理を行う（Ｓ４０８）。
【０２４８】
図４４、図４５は、画像処理装置３Ａ内のホワイトバランス処理回路周辺を示すブロック図、及び画像処理装置３Ａの操作パネル４１内にあるスイッチ部の一例を示す。
【０２４９】
映像信号処理回路２８内のホワイトバランス処理回路１０３にはＲ信号、Ｇ信号、Ｂ信号が入力され、それぞれセレクタ１９８に入力される。このセレクタ１９８の出力端には平均値算出回路１９９が接続され、それぞれ平均値が算出されてＣＰＵ２９に出力される。
【０２５０】
ＣＰＵ２９はＧ／ＲとＧ／Ｂの平均値を算出して、Ｒ信号とＢ信号が入力される乗算器１０１と１０２にＧ／ＲとＧ／Ｂの平均値を入力して、それぞれＲ信号とＢ信号と乗算させる。
【０２５１】
そして、スルーのＧ信号と共に乗算器１０１と１０２で乗算によりホワイトバランス処理したＲ信号とＢ信号とを後段側に出力する。そして、白の被写体を撮像した状態でこのホワイトバランス処理回路１０３を動作させることにより、ホワイトバランスしたＲ信号、Ｇ信号、Ｂ信号とを生成できるようにしている。
【０２５２】
また、ＣＰＵ２９はＳＩＯ３２を介して内視鏡２と送受信する内視鏡関連データを伝送する信号線と接続されている。そして、すでにホワイトバランスさせた場合のホワイトバランスデータ（つまり、上述したＧ／ＲとＧ／Ｂの平均値でＧ／Ｒ係数及びＧ／Ｂ係数という）を内視鏡２に格納してある場合には、それを以下のように読み出して自動でホワイトバランスの設定を行う。
【０２５３】
内視鏡２からの読み出しで、読み出されたホワイトバランスデータはＳＩＯ３２を経由してＣＰＵ２９に入力される。ホワイトバランスデータはＧ／Ｒ係数及びＧ／Ｂ係数から構成されるため、ＣＰＵ２９はホワイトバランスデータから得られるＧ／Ｒ係数及びＧ／Ｂ係数を乗算器１０１、１０２に入力し、Ｒ信号及びＢ信号に乗算する事でホワイトバランスを自動で設定する。
【０２５４】
その後、図４５のＷＨＩＴＥ  ＢＡＬ．キー１９０内部のＬＥＤを消灯し、ＷＨＩＴＥ  ＢＡＬ．表示ＬＥＤ１９１を点灯する事により、内視鏡２がホワイトバランス処理が行われた事をユーザに示す。
【０２５５】
図４５に示すように操作パネル４１内のスイッチ部１８０の各キー１８１，１８３，１８７，１９０，１９２，１９３，１９４及びＬＥＤ１８２，１８４〜１８６、１８８〜１８９、１９１、１９５〜１９７の機能は図４６の表に示す通りである。例えば、１８１はプリントキー、１８２はプリント表示ＬＥＤ、１８３はエンハンス（ＥＮＨ）キー、…、１９７は色調レベル表示ＬＥＤである。
【０２５６】
なお、内視鏡２でホワイトチャート（例えばホワイトバランスキャップ）を撮像した状態で、ＷＨＩＴＥ  ＢＡＬ．キー１９０を押した場合は、上述のようにセレクタ１９８、平均値算出回路１９９により、Ｒ信号、Ｇ信号、Ｂ信号の各信号について平均信号レベルを測定し、ＣＰＵ２９によりＲ信号、Ｂ信号に乗算する係数（Ｇ／Ｒ、Ｇ／Ｂ）を演算して、乗算器１０１、１０２に乗算する事によりホワイトバランス処理を行うと共に、ＳＩＯ３２を経由して内視鏡２にホワイトバランスデータの書込みを行う（この場合、ＷＨＩＴＥ  ＢＡＬ．キー１９０のＬＥＤは消灯、ＷＨＩＴＥ  ＢＡＬ．表示ＬＥＤ１９１のＬＥＤは点灯状態のままとなる）。
【０２５７】
なお、内視鏡２からの読み出しで読み出されたホワイトバランスデータが初期値（例えば工場出荷値）の場合はＣＰＵ２９は図４５のＷＨＩＴＥ  ＢＡＬ．キー１９０内部のＬＥＤを点灯し、ＷＨＩＴＥ  ＢＡＬ．表示ＬＥＤ１９１を消灯する事により、内視鏡２がホワイトバランス処理が行われてない事をユーザに示し、ＷＨＩＴＥ  ＢＡＬ．キー１９０を押してホワイトバランス処理を行うようユーザに指示してもよい。
【０２５８】
一方、通信機能を有さない内視鏡２′と接続して画像処理装置３Ａを電源ＯＮした場合、又は画像処理装置３Ａが電源ＯＮのまま内視鏡２′と交換した場合は、内視鏡２′がホワイトバランスデータを有さない為、自動的にホワイトバランス処理が行われず、ＷＨＩＴＥ  ＢＡＬ．キー１９０内部のＬＥＤが点灯し、ＷＨＩＴＥ  ＢＡＬ．表示ＬＥＤ１９１が消灯する。
【０２５９】
これよりホワイトバランス処理が行われていない事を示し、ユーザにＷＨＩＴＥ  ＢＡＬ．キー１９０を押すよう指示する。その際にユーザにＷＨＩＴＥ  ＢＡＬ．キー１９０を押すようブザー４３を鳴らしても良い。その後、内視鏡２′がホワイトチャート（例えばホワイトバランスキャップ）を撮像した状態でＷＨＩＴＥ  ＢＡＬ．キー１９０を押すと、図４４のセレクタ１９８、平均値算出回路１９９により、Ｒ信号、Ｇ信号、Ｂ信号の各信号について平均レベルを測定し、ＣＰＵ２９によりＲ信号、Ｂ信号に乗算する係数（Ｇ／Ｒ、Ｇ／Ｂ）を演算してＲ信号、Ｂ信号に乗算する事でホワイトバランス処理を行うと共に、図４５のＷＨＩＴＥ  ＢＡＬ．キー１９０内部のＬＥＤが消灯し、ＷＨＩＴＥ  ＢＡＬ．表示ＬＥＤ１９１を点灯する事により、内視鏡２′がホワイトバランス処理が行われた事を示す。
【０２６０】
なお、ホワイトバランス処理を行う為のＷＨＩＴＥＢＡＬ．キー１９０の入力は、Ｓ４０６〜Ｓ４１０の処理中には誤ってホワイトバランス処理が行われないように、キー１９０の入力を禁止するようにしても良い。
【０２６１】
なお、図４５のＬＥＤ１９０、１９１点灯・消灯の動作は上記例に限らず、例えばホワイトバランス処理後は１９０，１９１共に消灯し、ホワイトバランスの処理中は１９０または１９１のＬＥＤが点滅するようにしても良い。
【０２６２】
図４１のホワイトバランス処理（Ｓ４０８）の後、画像処理装置３Ａは読み出していない残りの内視鏡関連データを読み出し（Ｓ４０９）、Ｓ４０７で読み出した通電回数のカウント処理を行う（Ｓ４１０）。なお、通電回数のカウント処理はＳ４０９の後に行うほか、他の処理に関係無くＳ４０５から一定時間後（例えば３０秒後）に行う事にしてもよい（その場合には、例えば動作確認の為に短時間（一定時間内）電源のＯＮ／ＯＦＦを行った時にはカウント処理が行わないため、得られる通電回数をユーザの実使用回数とすることができる）。
【０２６３】
なお、Ｓ４０８〜Ｓ４１０の処理はＳ４１１の処理後もしくは処理中に行ってもよく、その場合にはＳ４０８〜Ｓ４１０の処理は画像処理装置３Ａの電源ＯＮ又はスコープ交換後（Ｓ４０５）１回のみとする。
【０２６４】
その場合には、Ｓ４１１の表示後で他の内視鏡関連データの読み出し中（Ｓ４０９）にＳｃｏｐｅ  Ｉｎｆｏｒｍａｔｉｏｎ画面の表示（図４２のＳ４１８）が行われる場合があり、内視鏡関連データの全データが読み出せていないうちにＳｃｏｐｅ  Ｉｎｆｏｒｍａｔｉｏｎ  画面が表示されてしまう。
【０２６５】
その際は図４７に示すように説明表示部１１０に読み出し処理中である表示（「ＤＩＳＡＢＬＥ！」）を行うと共に読み出しが完了しているデータのみ表示し、Ｓ４０９の読み出し処理が完了した後に自動的に図４８の画面に移行するようにする。
【０２６６】
次に、内視鏡観察画像下部に内視鏡関連データの内、スコープ機種名、ボディナンバを表示し、ユーザコメント又は点検時期を示す表示を行う（Ｓ４１１）。図４９、５０に表示例を示し、図５１にＳ４１１の動作のフローチャートを示す。
【０２６７】
まず読み出した通電回数と点検回数を比較し（Ｓ４３２）、通電回数が点検回数以上になった場合は、図４９の内視鏡関連データ表示部１７２内の１７３の位置にスコープ機種名、１７４の位置にボディナンバ、１７５の位置に点検時期を示す表示（例えば「Ｃｈｅｃｋ−ｕｐ  Ｄｕｅ」）を表示する。なお、図５０は図４９の内視鏡関連データ表示部１７２の内容を示す。
【０２６８】
これより、ユーザに内視鏡２が点検回数以上使用された場合に点検時期である事を告知することで、ユーザは適切な点検時期を知ることができる．一方通電回数が点検回数未満の場合は、内視鏡関連データ表示部１７２内の１７３の位置にスコープ機種名、１７４の位置にボディナンバ、１７５の位置にユーザコメントを表示する。
【０２６９】
点検時期を示す表示は点検回数をユーザが変更するまで表示しつづけてもよく、画像処理装置３Ａの電源ＯＮ又はスコープ交換後（Ｓ４０５）１回のみの処理で済ませても良い。                                            
その後、例えばキーボード４４の任意のキー（Ｓｃｏｐｅ  Ｉｎｆｏｒｍａｔｉｏｎキー除く）を入力するか（Ｓ４１２）、一定時間（例えば約１０秒）経過した場合（Ｓ４１３）は、図４９の１７２の内視鏡関連データ表示部及びスコープＳＷ表示部を消去し（Ｓ４１５）、内視鏡観察画像表示状態となる（Ｓ４１６）。この場合の表示例を図５２に示す。
【０２７０】
Ｓ４１６の状態でキーボード４４内のＳｃｏｐｅ  Ｉｎｆｏｒｍａｔｉｏｎキーを入力すると再び内視鏡観察画像下部に内視鏡関連データを表示する（Ｓ４１１）。
【０２７１】
一方、内視鏡観察画像下部に内視鏡関連データを表示した状態で、Ｓｃｏｐｅ  Ｉｎｆｏｒｍａｔｉｏｎキーの入力した場合には（Ｓ４１４）、図４２のＳｃｏｐｅ  Ｉｎｆｏｒｍａｔｉｏｎ画面を表示する（Ｓ４１８）。
【０２７２】
図４８、図５３にＳｃｏｐｅ  Ｉｎｆｏｒｍａｔｉｏｎ画面の表示例を示す。  例えば、Ｓｃｏｐｅ  Ｍｏｄｅｌ、Ｓｅｒｉａｌ  Ｎｏ．、…、Ｃｈｅｃｋｕｐ  Ｉｎｆｏ．等を表示する。  
表示されている内視鏡関連データの内、データ部が網掛けになっている部分１０４、１０５は書き換え可能とし、それ以外の箇所は書き換え不可とする。
【０２７３】
書き換えは、キーボード４４又は操作パネル４１にあるカーソル移動キーを入力する事により入力したいデータにカーソルを移動し、キーボード４４内の文字入力キーにより書き込むべきデータを入力する（選択されたデータは１０４のように入力箇所全体の色が変化しても良く、入力箇所の縁部分もしくは入力文字のみの色が変化しても良い）。
【０２７４】
なお表示される内視鏡関連データは図４８のように一部のデータのみを表示するほか、全データを表示してもよい。またはユーザに告知すべき情報のみ表示するモードとサービスが確認すべき情報を表示するモードを用意し、キーボード４４内のキーで切替え可能にしても良い。
【０２７５】
なお、図４８で、符号１０６で示す部分は選択された各内視鏡関連データに関する情報、カーソルの移動方法、書きこみ方法、内視鏡観察画像（図４９）の表示方法などを説明する為の説明表示部であり、ユーザが図４８を使用しやすいように援助を行うものである。
【０２７６】
図４８、図５３のＳｃｏｐｅ  Ｉｎｆｏｒｍａｔｉｏｎ画面で内視鏡関連データの書込み・修正を行った後、キーボード４４内の例えばＲｅｔｕｒｎキーの入力を判断するステップとなり（図４２のＳ４１９）、Ｒｅｔｕｒｎキーを入力すると、Ｓｃｏｐｅ  Ｉｎｆｏｒｍａｔｉｏｎ画面上に（図示しない）「Ａｒｅ  ｙｏｕ  ｓｕｒｅ？（Ｙ／Ｎ）」が表示され（Ｓ４２１）、「Ｙ」が入力された場合は、通信中の表示を行い（Ｓ４２２）、内視鏡関連データの書込みを行う（Ｓ４２３）。
【０２７７】
書込み処理を行うデータは、書込み又は修正を行ったデータのみであってもよく、書込み又は修正を行ったデータに関係なく図４８の画面上の書き換え可能なデータ全てについて書込みを行っても良い。
【０２７８】
なお、図４８で点検回数を入力する場合（例えば使用現在から＋１５０回通電回数を計数後に点検時期表示１７５を行う場合）は、以下の通りとなる。  
（１）現在の通電回数（１００回）を確認する。  
（２）現在の通電回数＋点検時期表示を行う通電回数分（１００＋１５０＝２５０）を点検回数のデータ項目欄に入力する。
【０２７９】
また、図４８で保証期限（Ｗａｒｒａｎｔｙ  Ｄａｔｅ）を入力する場合は、日付チェックを行うことにより、間違った日付（例えば２０００年１３月４７日）が入力された時には、他の内視鏡関連データ項目にカーソルを移動させないように警告（画面上にエラー表示もしくはブザーを鳴らすなど）してもよい（正しい日付もしくは空欄の場合は他のデータ項目にカーソル移動可能とする）。
【０２８０】
その後、再び内視鏡観察画像下部に内視鏡関連データを表示する（Ｓ４２５、図４９参照）。また、Ｒｅｔｕｒｎキー入力後（Ｓ４１９）「Ｎ」キーを押した場合（Ｓ４２４）は、書込み処理を行わずＳｃｏｐｅ  Ｉｎｆｏｒｍａｔｉｏｎ画面に戻る。またＥＳＣキーを入力した場合は（Ｓ４２０）、内視鏡観察画像下部に内視鏡関連データを表示する（Ｓ４２５、図４９参照）。
【０２８１】
内視鏡観察画像下部に内視鏡関連データを表示（Ｓ４２５）後、例えばキーボード４４の任意のキー（Ｓｃｏｐｅ  Ｉｎｆｏｒｍａｔｉｏｎキー除く）を入力するか（Ｓ４２６）、一定時間（例えば約１０秒）経過した場合は（Ｓ４２７）、図４９の１７２の内視鏡関連データ表示部及びスコープＳＷ表示部を消去し（Ｓ４２９）、内視鏡観察画像表示状態となる（Ｓ４３０）（図５２参照）。  
Ｓ４３０の状態でキーボード４４内のＳｃｏｐｅ  Ｉｎｆｏｒｍａｔｉｏｎキーを入力すると（Ｓ４３１）、再び内視鏡観察画像下部に内視鏡関連データを表示する処理（Ｓ４２５）に戻る。
【０２８２】
一方、内視鏡観察画像下部に内視鏡関連データを表示した状態でＳｃｏｐｅ  Ｉｎｆｏｒｍａｔｉｏｎキーを入力した場合（Ｓ４２８）、Ｓ４１８のＳｃｏｐｅ  Ｉｎｆｏｒｍａｔｉｏｎ画面の表示をする。
【０２８３】
図５４は画像処理装置３Ａと内視鏡２′が接続された場合のフローチャートを示す。画像処理装置３Ａが内視鏡２′と接続後に電源ＯＮ後、又は画像処理装置３Ａが電源ＯＮのまま内視鏡２′を交換した後（Ｓ４４０）、画像処理装置３Ａ側にある（図示しない）接続検知手段により内視鏡２′と接続した事を検知し、通信中の表示を行い（Ｓ４４１）、内視鏡関連データの読み出しを行う（Ｓ４４２）。
【０２８４】
しかし内視鏡２′は内視鏡関連データを有さないため、画像処理装置３Ａは、読み出し処理を一定期間行っても内視鏡関連データが読み出せなかった場合（Ｓ４４３）は、内視鏡関連データ表示部１０３内に内視鏡関連データを何も表示しない（Ｓ４４４、図５５参照）。
【０２８５】
その後、例えばキーボード４４の任意のキー（Ｓｃｏｐｅ  Ｉｎｆｏｒｍａｔｉｏｎキー除く）の入力をするか（Ｓ４４５）、一定時間（例えば約１０秒）経過した場合は（Ｓ４４６）、図４９の１７２の内視鏡関連データ表示部及びスコープＳＷ表示部を消去し（Ｓ４４９）、内視鏡観察画像表示状態となる（Ｓ４５０）（図５２参照）。
【０２８６】
Ｓ４５０の状態でキーボード４４内のＳｃｏｐｅ  Ｉｎｆｏｒｍａｔｉｏｎキーを入力すると（Ｓ４５１）、再び内視鏡観察画像下部に空欄を表示する（Ｓ４４４）。
【０２８７】
一方、内視鏡観察画像下部に空欄を表示した状態で、Ｓｃｏｐｅ  Ｉｎｆｏｒｍａｔｉｏｎキーの入力判断を行い（Ｓ４４７）、入力が無いとＳ４４４に戻り、逆に入力をしても、内視鏡関連データが読み出されないため、警告処理（ブザー４３、ＬＥＤ４２の点灯・点滅など）を行いＳｃｏｐｅ  Ｉｎｆｏｒｍａｔｉｏｎ  画面は表示しない（Ｓ４４８）でＳ４４４に戻る。
【０２８８】
一方、図５６は画像処理装置３Ａから内視鏡２、２′を外した場合のフローチャートを示す。画像処理装置３Ａが電源ＯＮのまま内視鏡２、２′を外した後（Ｓ４６０）、画像処理装置３Ａ側にある（図示しない）接続検知手段により内視鏡２、２′と外れた事を検知し、内視鏡関連データ表示部１０３内に空欄を表示する（Ｓ４６１、図５５参照）。
【０２８９】
その後、例えばキーボード４４の任意のキー（Ｓｃｏｐｅ  Ｉｎｆｏｒｍａｔｉｏｎキー除く）を入力するか（Ｓ４６２）一定時間（例えば約１０秒）経過した場合は（Ｓ４６３）、図５５の内視鏡観察画像下部の内視鏡関連データ表示部及びスコープＳＷ表示部を消去し（Ｓ４６６）、内視鏡観察画像表示状態となる（Ｓ４６７）（図５２参照）。Ｓ４６７の状態でキーボード４４内のＳｃｏｐｅ  Ｉｎｆｏｒｍａｔｉｏｎキーを入力すると（Ｓ４６８）、再び内視鏡観察画像下部に空欄を表示する（Ｓ４６１）。
【０２９０】
一方、内視鏡観察画像下部に空欄を表示した状態で、Ｓｃｏｐｅ  Ｉｎｆｏｒｍａｔｉｏｎ  キーの入力判断を行い（Ｓ４６４）、入力が無い場合にはＳ４６１に戻るが、入力しても内視鏡関連データが読み出されないため、警告処理（ブザー４３、ＬＥＤ４２の点灯・点滅など）を行いＳｃｏｐｅ  Ｉｎｆｏｒｍａｔｉｏｎ画面は表示しない（Ｓ４６５）で、Ｓ４６１に戻る。
【０２９１】
なお、図４３の１７１、１７６、１７８、図４８で表示される文字は、本実施の形態の場合のような英語のほか、日本語、ドイツ語、フランス語など画像処理装置３Ａを使用する国の言語で示されてもよく、言語の切り替えはキーボード４４又は操作パネル４１のキー又はキーにより表示される（図示しない）切り替え用画面上で行っても良い。
【０２９２】
図５７は図４９に示す内視鏡観察画像の他の表示例を示す。内視鏡２によって撮像される内視鏡画像に１７１、１７２が重なっている場合は、この図５７に示すように内視鏡画像が透けて見えるように表示しても良い。この場合、１７１、１７２は内視鏡画像の色調と異なる透明色（例えば青、緑）とし、例えば白で文字表示する。
【０２９３】
図５８は映像信号切替回路２９内の一部のブロック図を示す。映像信号処理回路２８からの内視鏡画像と表示コントローラ３６から出力される文字情報（１７１、１７２）それぞれについて、乗算器１２０、１２１でＣＰＵ２９から設定される係数（例えば０．５）だけ乗算を行い、加算器１２２で上記２つの信号を合成することにより、図５７に示すような表示が可能となる。  
なお、乗算器１２０、１２１で行う乗算処理はＣＰＵ２９で設定するほか、映像信号切替回路３７内に予め組み込んでも良い。
【０２９４】
本実施の形態は、以下の効果がある。  
１．内視鏡観察画像下部に内視鏡関連データ（例えばスコープ機種名、ボディナンバ、ユーザーコメント）が表示されることによりユーザーは、使用する内視鏡独自の情報を容易に入手することが可能となる。また内視鏡の点検時期を表示することにより、内視鏡の保守管理が容易になるため、非常に有益である。
【０２９５】
２．ホワイトバランス処理が自動で行えるため、ユーザーに負担をかけず、非常に有益である。また、ホワイトバランスデータをスコープ毎に有するため、画像処理装置側でホワイトバランスデータを格納する必要が無く、画像処理装置の小型化が計れる。また、ホワイトバランスデータにより行われるホワイトバランス処理が終了したことを画像処理装置の操作パネル部のＬＥＤで確認できるため、作業の効率化が計れる。
【０２９６】
３．内視鏡関連データ専用の表示画面を設けることにより内視鏡独自の情報を容易に確認できると共に、一部の情報は書き換え可能であるため、ユーザによるカスタマイズが可能となり作業の効率化が計れる。
【０２９７】
［付記］
１．被検体内に挿入されて内視鏡検査を行うための内視鏡と、該内視鏡と接続される周辺装置とを備えた内視鏡システムにおいて、
前記内視鏡に、該内視鏡に関連するデータを記憶する書き換え可能な記憶部と、該記憶部内の内視鏡関連データの読み出し又は書込みを行うと共に前記周辺装置に送受信するための通信部としてのシリアル伝送を行うシリアルインターフェースと、
を設けた事を特徴とする内視鏡システム。
【０２９８】
２．前記周辺装置との通信を行うための信号線は、１線である事を特徴とする付記１の内視鏡システム。
【０２９９】
３．前記内視鏡は、被検体内に撮像するための固体撮像素子を有し、内視鏡内の記憶部及び通信部に供給される電源部は、前記固体撮像素子に供給する電源部と共用する事を特徴とする付記１記載の内視鏡システム。
【０３００】
４．前記内視鏡内の記憶部には、内視鏡関連データが正しい情報であるかを確認するための確認情報を含み、前記確認情報により内視鏡関連データが正しいかを確認する確認手段を、内視鏡側に有する事を特徴とする付記１の内視鏡システム。
【０３０１】
（付記４の作用効果）
確認情報により、内視鏡関連データが正しいか否かを確認でき、内視鏡関連データの信頼度を向上させる事ができる。例えば内視鏡関連データの書込み中に、停電又は内視鏡と周辺装置の着脱が行われて、内視鏡関連データの書込みが正しく行われなかった時に、前記確認情報でデータが正しく書き込まれたものかを確認する事ができる。
【０３０２】
５．前記内視鏡内の記憶部に、内視鏡関連データのバックアップを更に記憶する事を特徴とする付記１の内視鏡システム。
【０３０３】
（付記５の作用効果）
内視鏡関連データが破壊された場合にもバックアップデータを読み出して、対応可能する事ができる。
【０３０４】
６．前記内視鏡関連データの一部又は全ては、書込みを行う前に書込み許可が必要である事を特徴とする付記１の内視鏡システム。
【０３０５】
（付記６の作用効果）
内視鏡関連データの一部又は全てについて、書込みを行う前に書込み許可を行う事により、接続された周辺装置装置の誤動作による誤った書込み処理が行われた場合にも、誤書込みを防止する事ができる。
【０３０６】
７．前記内視鏡関連データは、初検査日又は施設名を含み、前記記憶部内に前記初検査日又は施設名が記憶されていない時は、前記周辺装置が自動的に前記初検査日又は施設名を前記記憶部に書込む事を特徴とする付記１の内視鏡システム。（付記７の作用効果）
内視鏡内の記憶部に、前記記憶部内に前記初検査日は施設名が記憶されてない時は、前記周辺装置が自動的に前記初検査日又は施設名を書込む事により、ユーザに負担をかけずに、書込みを行う事ができる。
【０３０７】
８．前記初検査日から一定の期間が経過している場合、点検時期である事を警告する警告手段を周辺装置側に有する事を特徴とする付記７の内視鏡システム。
【０３０８】
（付記８の作用効果）
前記初検査日から一定の期間が経過している場合は、点検時期である事を警告する警告手段を周辺装置側に有する事により、ユーザに点検時期を知らせる事が可能となり、点検を怠るために起こる故障を防止する事ができる。
【０３０９】
９．前記内視鏡関連データを、周辺装置に具備するモニタに表示する表示手段は、前記周辺装置に備えられた操作手段により動作する事を特徴とする付記１の内視鏡システム。
【０３１０】
（付記９の作用効果）
前記周辺装置に備えられた操作手段により内視鏡関連データをモニタに表示することにより、ユーザが内視鏡関連情報を見たい時に任意に表示させる事ができる。
【０３１１】
１０．前記内視鏡内の記憶部には、ユーザが任意に書込み、読出しを行うユーザコメントが可能な領域を含み、前記ユーザコメントは、前記周辺装置に備えられた操作手段により入力される事を特徴とする付記１の内視鏡システム。
【０３１２】
（付記１０の作用効果）
ユーザが任意に書込み、読出しを行うユーザ入力データ領域を内視鏡内の記憶部に用意する事により、ユーザがスコープ毎に記憶しておきたいデータを記憶可能となる。
【０３１３】
１１．前記内視鏡関連データは、前記内視鏡の通電回数をカウントするカウントデータを含み、前記通電回数をカウントする手段と周辺装置を判別する手段を内視鏡側に設けると共に、前記判別結果に基づき、通電回数をカウントする事を特徴とする付記１の内視鏡システム。
【０３１４】
（付記１１の作用効果）
前記内視鏡関連データは、前記内視鏡の通電回数をカウントするカウントデータを含み、前記通電回数のカウントを検査又は診察時に使用する周辺装置と接続した時のみ行う事により、内視鏡の検査、診察に使用した回数を正しく把握する事ができる。
【０３１５】
１２．前記内視鏡関連データは、洗浄関連情報を含む事を特徴とする付記１の内視鏡システム。
【０３１６】
（付記１２の作用効果）
前記内視鏡関連データは、洗浄関連情報を含んでいるため、内視鏡が洗浄済みであるか、どのような洗浄を行ったか、いつ洗浄を行ったか、誰が洗浄を行ったかなどの洗浄関連情報をユーザが把握する事ができ、内視鏡検査に対する内視鏡の管理が容易になると共に、効率のよい洗浄を行う事が出来る。
【０３１７】
１３．被検体に挿入される挿入部先端に撮像手段を有し、内視鏡検査を行うための内視鏡と、該内視鏡と接続され、前記撮像手段で得た画像情報を表示手段に出力する内視鏡制御装置とを備えた内視鏡システムにおいて、
前記内視鏡に、該内視鏡に関連するデータを記憶する書き換え可能な記憶部と、
該記憶部内の内視鏡関連データの書き込みまたは読み込みを行うと共に、前記内視鏡制御装置に送受信するための通信部と、
前記内視鏡制御装置に、前記内視鏡関連データを前記表示手段に表示させるための制御手段と、
を備えたことを特徴とする内視鏡システム。
【０３１８】
１４．前記内視鏡関連データ内に通電回数を設けて、該通電回数データを所定の基準値と比較する比較手段と、
前記比較手段の比較結果に基づいて、前記制御手段が点検に関する文字情報を出力することを特徴とする付記１３の内視鏡システム。
【０３１９】
１５．前記記憶部に第１の内視鏡関連データと第２の内視鏡関連データとを備え、前記第１の内視鏡関連データと前記第２の内視鏡関連データを順次表示するための順次制御手段を備えたことを特徴とする付記１３の内視鏡システム。
【０３２０】
１６．画像情報の色調を可変する内視鏡制御装置に設けた色調可変手段と、
前記色調可変手段の制御状態を告知する告知手段と、
前記内視鏡関連データ内に色調情報とを備えて、前記制御手段が前記色調可変手段に前記色調情報を出力すると共に、前記告知手段に制御結果を出力することを特徴とする付記１３の内視鏡システム。
【０３２１】
１７．被検体内に挿入されると共に、画像処理装置に接続される内視鏡において、
前記内視鏡に関連するデータを記憶する書き換え可能な記憶部と、前記記憶部内の内視鏡関連データの読み出し又は書込みを行うと共に前記画像処理装置に送受信するための通信部を内視鏡側に有し、前記画像処理装置は前記内視鏡関連データを表示する手段を有することを特徴とする内視鏡システム。
【０３２２】
１８．前記内視鏡関連データは、通電回数及び点検回数を含み、前記二つのデータより点検時期を確認すると共に、点検時期を示すための表示を行う手段を有することを特徴とする付記１７の内視鏡システム。
【０３２３】
１９．前記内視鏡関連データは、内視鏡の機種名及びボディナンバー及びユーザーコメント情報を含み、前記３つの情報を他の内視鏡関連データに先立って読み出し及び表示する手段を有することを特徴とする付記１７の内視鏡システム。
【０３２４】
２０．前記内視鏡関連データは、ホワイトバランスデータを含み、前記画像処理装置は、前記ホワイトバランスデータによりホワイトバランス処理を行う手段と、ホワイトバランス処理が終了したことを表示する手段を有することを特徴とする付記１７の内視鏡システム。
【０３２５】
（付記１３〜２０の背景）
近年、内視鏡内に内視鏡関連データを付与する内視鏡装置が提案されている。  例えば、特開昭６３−２７１２１７では、スコープに付与されているスコープ識別情報及び前記スコープ識別情報を認識するスコープ認識手段を有し、光源部からの光量をスコープ認識情報毎に制御する光量制御手段を具備する事を特徴とする。  
一方、特公第２７１３８４０号では、電子内視鏡に電子内視鏡を識別する識別部を設け、信号処理装置には電子内視鏡の識別部を認識する識別手段と、電子内視鏡に関するホワイトバランス設定値を個々の電子内視鏡に対応させて信号処理装置側で記憶する記憶手段を有する電子内視鏡装置について記載されている。
【０３２６】
しかし、前述した従来例においては、内視鏡に付与される情報（スコープ識別情報）は書き換え可能ではないため、施設名、ユーザー入力データなどのように書き換えを行う内視鏡関連データについては対応する事ができない。
【０３２７】
また、内視鏡関連データの画面表示方法について定義されてないため、ユーザが内視鏡関連データを容易に確認、管理する手段が無く、多大な負担を強いることになった。
【０３２８】
また、複数のホワイトバランスデータを画像処理装置側に有する必要があるため画像処理装置の大型化をまねきユーザに負担であった。
【０３２９】
このため、内視鏡に付与される情報を書き換え可能とする内視鏡システムを提供することを目的とする。また、内視鏡関連データを容易に確認、管理することができる内視鏡システムを提供することを目的とする。さらに複数のホワイトバランスデータを画像処理装置側に有する必要の無い内視鏡システムを提供することを目的とする。この目的を達成するために付記１３〜２０の構成にした。
【０３３０】
ａ１．入力した内視鏡に関連する内視鏡関連データを記憶し、かつ記憶した前記内視鏡関連データを出力可能な記憶部、
前記記憶部に対して前記内視鏡関連データの入出力を行うための第１の単一の入出力端、
前記第１の単一の入出力端と前記記憶部との間に接続され、前記記憶部に記憶する前記内視鏡関連データを前記入出力端から前記記憶部に伝送する第１の伝送路、及び
前記第１の単一の入出力端と前記記憶部との間に接続され、前記記憶部に記憶された前記内視鏡関連データを前記記憶部から前記第１の単一の入出力端に伝送する第２の伝送路、
を有する内視鏡と；
前記内視鏡の前記記憶部に対する前記内視鏡関連データの入出力を行う第２の単一の入出力端、
前記第２の単一の入出力端を介し、前記記憶部から前記内視鏡関連データを読み出す情報読み出し部、及び
前記第２の単一の入出力端を介し、前記記憶部に記憶する内視鏡関連データを送出する情報出力部、
を有する周辺装置と；
前記内視鏡の前記第１の単一の入出力端と前記周辺装置の前記第２の単一の入出力端とを接続する単一の信号伝送線と、
を有する内視鏡システム。
【０３３１】
ａ２．クレームａ１の内視鏡システムであって、前記記憶部はＥＥＰＲＯＭ又はフラッシュＲＯＭ又はＦＲＡＭ又はＭＲＡＭである。
【０３３２】
ａ３．クレームａ１の内視鏡システムであって、前記内視鏡は、被検体を撮像するための撮像素子を有する。
【０３３３】
ａ４．クレームａ３の内視鏡システムであって、前記前記記憶部に供給される電源部は、前記撮像素子に供給する電源部と共用する。
【０３３４】
ａ５．クレームａ１の内視鏡システムであって、前記記憶部には、前記内視鏡関連データが正しく書き込まれたかを確認するための確認用情報を含み、前記確認用情報を用いて前記記憶部に書き込まれた内視鏡関連データが正しいかを確認する確認部を前記内視鏡に設けた。
【０３３５】
ａ６．クレームａ１の内視鏡システムであって、前記記憶部は、前記内視鏡関連データのバックアップデータを記憶する。
【０３３６】
ａ７．クレームａ１の内視鏡システムであって、前記記憶部に、前記内視鏡関連データを書き込む場合、前記内視鏡関連データの少なくとも一部は、書込みを行う前に書込み許可の操作を必要にした。
【０３３７】
ａ８．クレームａ１の内視鏡システムであって、前記記憶部に書き込まれる前記内視鏡関連データは、初検査日又は施設名を含み、前記記憶部内に前記初検査日又は施設名が記憶されていない時は、前記周辺装置が自動的に前記初検査日又は施設名を前記記憶部に書込む。
【０３３８】
ａ９．クレームａ８の内視鏡システムであって、前記初検査日から一定の期間が経過している場合、点検時期である事を警告する警告部を前記周辺装置側に有する。
【０３３９】
ａ１０．クレームａ１の内視鏡システムであって、前記記憶部には、ユーザが任意に書込み、読出しを行うユーザコメントが可能な領域を含み、前記ユーザコメントは、前記周辺装置に備えられた操作部から入力される。
【０３４０】
ａ１１．クレームａ１の内視鏡システムであって、前記内視鏡関連データは、前記内視鏡の通電回数をカウントするカウントデータを含み、前記通電回数をカウントするカウント装置と周辺装置を判別する判別装置を内視鏡側に設けると共に、前記判別装置による判別結果に基づき、通電回数をカウントする。
【０３４１】
ａ１２．クレームａ１１の内視鏡システムであって、前記通電回数が所定回数を越えた場合には警告を行う。
【０３４２】
ａ１３．クレームａ１の内視鏡システムであって、前記内視鏡関連データは、前記内視鏡の洗浄に関連する情報を含む。
【０３４３】
ａ１４．クレームａ１の内視鏡システムであって、前記周辺装置に備えられた操作部の操作により、前記内視鏡関連データを前記表示装置に表示可能にした。
【０３４４】
ａ１５．クレームａ３の内視鏡システムであって、前記周辺装置は前記撮像素子の出力信号から映像信号を生成する映像処理回路を内蔵する。
【０３４５】
ａ１６．クレームａ１５の内視鏡システムであって、前記表示装置は前記撮像素子で撮像した被検体の画像と前記記憶部から読み出した前記内視鏡関連データの情報を表示する。
【０３４６】
ａ１７．クレームａ１６の内視鏡システムであって、前記表示装置は前記撮像素子で撮像した被検体の画像の一部に前記記憶部から読み出した前記内視鏡関連データの情報を重畳して表示する。
【０３４７】
ａ１８．クレームａ３の内視鏡システムであって、前記内視鏡は前記撮像素子とが共通化された単一のコネクタケーブルを介して前記周辺装置と接続される。
【０３４８】
ｂ１９．被検体に挿入される挿入部の先端に撮像を行う撮像素子、
入力した内視鏡に関連する内視鏡関連データを記憶し、かつ記憶した前記内視鏡関連データを出力可能な記憶部、
前記記憶部に対して前記内視鏡関連データの入出力を行うための第１の単一の入出力端、
前記第１の単一の入出力端と前記記憶部との間に接続され、前記記憶部に記憶する前記内視鏡関連データを前記入出力端から前記記憶部に伝送する第１の伝送路、及び
前記第１の単一の入出力端と前記記憶部との間に接続され、前記記憶部に記憶された前記内視鏡関連データを前記記憶部から前記第１の単一の入出力端に伝送する第２の伝送路、
を有する内視鏡と；
前記内視鏡と接続され、前記撮像素子の出力信号から映像信号を生成する画像処理装置と；
前記映像信号が入力されることにより、対応する前記被検体の画像を表示する表示装置と；
前記内視鏡の前記記憶部に対する前記内視鏡関連データの入出力を行う第２の単一の入出力端、
前記第２の単一の入出力端を介し、前記記憶部から前記内視鏡関連データを読み出す情報読み出し部、及び
前記第２の単一の入出力端を介し、前記記憶部に記憶する内視鏡関連データを送出する情報出力部、
を有する周辺装置と；
を備えた内視鏡システム。
【０３４９】
ｂ２０．クレームｂ１９の内視鏡システムであって、前記記憶部はＥＥＰＲＯＭ又はフラッシュＲＯＭ又はＦＲＡＭ又はＭＲＡＭである。
【０３５０】
ｂ２１．クレームｂ１９の内視鏡システムであって、前記内視鏡関連データは、通電回数及び点検回数を含み、前記通電回数が点検回数のデータ以上になった時に点検時期であることを前記表示装置で表示する。
【０３５１】
ｂ２２．クレームｂ１９の内視鏡システムであって、前記内視鏡関連データは、内視鏡の機種名及びボディナンバ及びユーザコメント情報を含み、前記内視鏡の機種名及びボディナンバ及びユーザコメント情報を他の内視鏡関連データに先立って読み出し前記表示装置に表示する。
【０３５２】
ｂ２３．クレームｂ２２の内視鏡システムであって、前記前記通電回数が点検回数のデータ以上になった時にはユーザコメント情報を表示する部分に点検時期であることを表示する。
【０３５３】
ｂ２４．クレームｂ１９の内視鏡システムであって、前記内視鏡関連データは、ホワイトバランスさせるホワイトバランスデータを含む。
【０３５４】
ｂ２５．クレームｂ２４の内視鏡システムであって、前記画像処理装置は、前記ホワイトバランスデータによりホワイトバランス処理を行い、ホワイトバランス処理が終了したことを表示装置で表示する。
【０３５５】
ｂ２６．クレームｂ１９の内視鏡システムであって、前記表示装置は前記撮像素子で撮像した被検体の画像の一部に前記記憶部から読み出した前記内視鏡関連データの情報を重畳して表示する。
【０３５６】
ｂ２７．クレームｂ２６の内視鏡システムであって、前記内視鏡関連データは内視鏡機種名又はボディナンバ又はユーザコメント又は点検時期の情報を含む。
【０３５７】
ｂ２８．クレームｂ２７の内視鏡システムであって、前記前記通電回数が点検回数のデータ以上になった時にはユーザコメントの代わりに点検時期であることの表示を行う。
【０３５８】
ｃ２９．被検体に挿入される挿入部の先端に撮像を行う撮像素子、
入力した内視鏡に関連する内視鏡関連データを記憶し、かつ記憶した前記内視鏡関連データを出力可能な記憶部、
前記記憶部に対して前記内視鏡関連データの入出力を行うための第１の単一の入出力端、
前記第１の単一の入出力端と前記記憶部との間に接続され、前記記憶部に記憶する前記内視鏡関連データを前記入出力端から前記記憶部に伝送する第１の伝送路、及び
前記第１の単一の入出力端と前記記憶部との間に接続され、前記記憶部に記憶された前記内視鏡関連データを前記記憶部から前記第１の単一の入出力端に伝送する第２の伝送路、
を有する内視鏡。
【０３５９】
ｃ３０．クレームｃ２９の内視鏡であって、前記記憶部はＥＥＰＲＯＭ又はフラッシュＲＯＭ又はＦＲＡＭ又はＭＲＡＭである。
【０３６０】
ｃ３１．クレームｃ２９の内視鏡であって、前記内視鏡が接続される外部装置は前記記憶部にデータを書き込むキーボードを有する。
【０３６１】
ｄ３２．被検体に挿入される挿入部の先端に撮像を行う撮像素子を内蔵し、内視鏡検査を行うための内視鏡と、
前記内視鏡と接続され、前記撮像素子の出力信号から映像信号を生成する画像処理装置と、
前記映像信号が入力されることにより、対応する前記被検体の画像を表示する表示装置と、
前記内視鏡に設けられ、前記内視鏡に関連する内視鏡関連データを記憶する書き換え可能な記憶部と、
前記記憶部内の内視鏡関連データの書き込み及び読み出しを行うと共に、前記画像処理装置に送受信するための通信部と、
前記内視鏡関連データを任意の時に前記表示装置に表示させる制御部と、
を備えた内視鏡システム。
【０３６２】
ｄ３３．クレームｄ３２の内視鏡システムであって、前記通信部はシリアル伝送を行うシリアルインターフェースを有する。
【０３６３】
ｄ３４．クレームｄ３３の内視鏡システムであって、前記シリアルインターフェースと接続される信号線はグランド線を除き送信と受信を共通の１つの線で行う。
【０３６４】
ｄ３５．クレームｄ３２の内視鏡システムであって、前記記憶部はＥＥＰＲＯＭ又はフラッシュＲＯＭ又はＦＲＡＭ又はＭＲＡＭである。
【０３６５】
ｄ３６．クレームｄ３２の内視鏡システムであって、前記内視鏡関連データは、通電回数及び点検回数を含み、前記通電回数が点検回数のデータ以上になった時に点検時期であることを前記表示装置で表示する。
【０３６６】
ｄ３７．クレームｄ３２の内視鏡システムであって、前記内視鏡関連データは、内視鏡の機種名及びボディナンバ及びユーザコメント情報を含み、前記内視鏡の機種名及びボディナンバ及びユーザコメント情報を他の内視鏡関連データに先立って読み出し前記表示装置に表示する。
【０３６７】
ｄ３８．クレームｄ３７の内視鏡システムであって、前記前記通電回数が点検回数のデータ以上になった時にはユーザコメント情報を表示する部分に点検時期であることを表示する。
【０３６８】
ｄ３９．クレームｄ３２の内視鏡システムであって、前記内視鏡関連データは、ホワイトバランスさせるホワイトバランスデータを含む。
【０３６９】
ｄ４０．クレームｄ３９の内視鏡システムであって、前記画像処理装置は、前記ホワイトバランスデータによりホワイトバランス処理を行い、ホワイトバランス処理が終了したことを表示装置で表示する。
【０３７０】
ｄ４１．クレームｄ３２の内視鏡システムであって、前記表示装置は前記撮像素子で撮像した被検体の画像の一部に前記記憶部から読み出した前記内視鏡関連データの情報を重畳して表示する。
【０３７１】
ｄ４２．クレームｄ４１の内視鏡システムであって、前記内視鏡関連データは内視鏡機種名又はボディナンバ又はユーザコメント又は点検時期の情報を含む。
【０３７２】
ｄ４３．クレームｄ４２の内視鏡システムであって、前記前記通電回数が点検回数のデータ以上になった時にはユーザコメントの代わりに点検時期であることの表示を行う。
【０３７３】
ｄ４４．クレームｄ３２の内視鏡システムであって、前記画像処理装置にはデータ入力を行うためのキーボードが接続される。
【０３７４】
ｄ４５．クレームｄ４４の内視鏡システムであって、前記表示装置がデータ表示を行うデータ表示画面の場合に、前記キーボードからデータ入力が可能になる。
【０３７５】
ｄ４６．クレームｄ４５の内視鏡システムであって、前記データ表示画面の場合に、入力が可能なデータ項目と、入力できないデータ項目を設定可能である。
【０３７６】
ｄ４７．クレームｄ４６の内視鏡システムであって、前記データ表示画面は複数有り、入力可能なデータ項目は異なる。
【０３７７】
ｄ４８．クレームｄ４５の内視鏡システムであって、前記データ表示画面の場合に、前記キーボードから入力した前記内視鏡関連データが前記記憶部に記憶可能である。
【図面の簡単な説明】
【０３７８】
【図１】本発明の１実施の形態の内視鏡システムの全体構成の概略を示すブロック図。
【図２】電子内視鏡及び通信機能を備えた画像処理装置の詳細を示すブロック図。
【図３】セレクタの構成の１例を示す回路図。
【図４】通信データのフォーマット及びその通信データの内容を示す図。
【図５】接続装置が内視鏡内の不揮発性メモリへ書込み（クリア）処理を行う場合の接続装置側の動作を示すフローチャート図。
【図６】図５の場合における内視鏡側の動作を示すフローチャート図。
【図７】内視鏡内の不揮発性メモリに格納されるデータ部及びバックアップデータ部をそれぞれ構成する領域及び各領域の内容を示す図。
【図８】図６のメモリ書込み（クリア）処理の動作を示すフローチャート図。
【図９】データ部のメモリ書込み（クリア）処理の動作を示すフローチャート図。
【図１０】バックアップデータ部のメモリ書込み（クリア）処理の動作を示すフローチャート図。
【図１１】接続装置が内視鏡内の不揮発性メモリへ読み出し処理を行う場合の接続装置側の動作を示すフローチャート図。
【図１２】接続装置が内視鏡内の不揮発性メモリへ読み出し処理を行う場合の内視鏡側の動作を示すフローチャート図。
【図１３】図１２内のメモリ読み出し処理の動作を示すフローチャート図。
【図１４】データ部の読み出し処理の動作を示すフローチャート図。
【図１５】バックアップデータ部の読み出し処理の動作を示すフローチャート図。
【図１６】接続装置が内視鏡内の不揮発性メモリへ書込み許可処理及び書込み許可後の書込み処理を行う場合の接続装置側の動作を示すフローチャート図。
【図１７】接続装置が内視鏡内の不揮発性メモリへ書込み許可処理及び書込み許可後の書込み処理を行う場合の内視鏡側の動作を示すフローチャート図。
【図１８】書込み許可後に接続装置から送信され、内視鏡側で受信したコマンドに対する内視鏡側の処理動作を示すフローチャート図。
【図１９】接続装置が内視鏡内の不揮発性メモリへカウント処理を行う場合の接続装置側の動作を示すフローチャート図。
【図２０】接続装置が内視鏡内の不揮発性メモリへカウント処理を行う場合の内視鏡側の動作を示すフローチャート図。
【図２１】図２０のメモリカウント処理の動作を示すフローチャート図。
【図２２】内視鏡内で自動的にカウント処理を行う場合の内視鏡の動作を示すフローチャート図。
【図２３】内視鏡内で洗浄関連情報を自動的にクリアする場合の処理動作を示すフローチャート図。
【図２４】不揮発性メモリに書き込まれる内視鏡関連データの種類及びその内容を示す図。
【図２５】初検査日又は施設名を読み出した時の接続装置の処理を示すフローチャート図。
【図２６】点検時期である事を示すモニタの表示方法の一例を示す図。
【図２７】内視鏡関連データの一部又は全部をモニタに表示し、又は画像記録装置ファイリング装置に記録する処理を示すフローチャート図。
【図２８】モニタの表示方法の一例を示す図。
【図２９】内視鏡と通信する通信機能を有する画像処理装置又はファイリング装置が接続された場合の浄関連情報に関する処理を示すフローチャート図。
【図３０】内視鏡に通信機能を有する洗浄装置が接続された場合の浄関連情報に関する処理を示すフローチャート図。
【図３１】ユーザ関連データについての接続装置の処理を示すフローチャート図。
【図３２】ユーザ関連データの表示方法の一例を示す図。
【図３３】書込み許可を行う際の接続装置の処理を示すフローチャート図。
【図３４】セレクタの構成の１例を示す図。
【図３５】カウント処理に関する接続装置の処理を示すフローチャート図。
【図３６】前回検査時刻に関する接続装置の処理を示すフローチャート図。
【図３７】前回検査時刻及びリプロセス完了時刻の表示方法の１例を示す図。
【図３８】本発明の第２の実施の形態の内視鏡システムの全体構成の概略を示すブロック図。
【図３９】電子内視鏡及び通信機能を備えた画像処理装置の詳細を示すブロック図。
【図４０】不揮発性メモリに書き込まれる内視鏡関連データの種類の表を示す図。
【図４１】通信機能を有する内視鏡と画像処理装置との接続時の具体的な処理動作を示すフローチャート図。
【図４２】通信機能を有する内視鏡と画像処理装置との接続時の具体的な処理動作を示すフローチャート図。
【図４３】通信中を示す表示の一例を示す図。
【図４４】ホワイトバランス処理回路周辺を示すブロック図。
【図４５】操作パネル内のスイッチ部の構成を示す図。
【図４６】スイッチ部を構成する各キー及びＬＥＤの機能の表を示す図。
【図４７】内視鏡関連データが読み出し中にＳｃｏｐｅ  Ｉｎｆｏｒｍａｔｉｏｎ画面を表示した場合の動作を示す図。
【図４８】Ｓｃｏｐｅ  Ｉｎｆｏｒｍａｔｉｏｎ画面の一例を示す図。
【図４９】内視鏡観察画像下部に内視鏡関連データの一部を表示する一例を示す図。
【図５０】図４９のうち、内視鏡関連データ表示部の拡大図。
【図５１】点検時期を示す表示を行う処理動作を示すフローチャート図。
【図５２】内視鏡観察画像のみを示す図。
【図５３】Ｓｃｏｐｅ  Ｉｎｆｏｒｍａｔｉｏｎ画面に表示される内視鏡関連データの説明する表を示す図。
【図５４】通信機能を有しない内視鏡と画像処理装置との接続時の動作を示すフローチャート図。
【図５５】内視鏡関連データが読み出せなかった場合の内視鏡観察画像下部の表示例を示す図。
【図５６】内視鏡を外した場合の画像処理装置の動作を示すフローチャート図。
【図５７】内視鏡観察画像に内視鏡関連データの一部を表示する他の例を示す図。
【図５８】映像信号切替回路における内視鏡画像と文字情報とを合成する部分の構成を示すブロック図。
【符号の説明】
【０３７９】
１…内視鏡システム
２…内視鏡
３Ａ…通信機能を有する画像処理装置
３Ｂ…通信機能を有しない画像処理装置
３Ｃ…通信機能を有する洗浄装置
３Ｄ…通信機能を有するファイリング装置
４ａ，４ｂ，４ｄ…モニタ
５ａ，５ｂ…画像記録装置
６ａ，６ｃ…ファイリング装置
７…通信機能（通信部）
８…記憶部
１１…挿入部
１３…光源装置
１７…ＣＣＤ
２０…不揮発性メモリ
２１…ＣＰＵ
２２…セレクタ
２５…コネクタ
２６…ケーブル
２７…コネクタ
２８…映像信号処理回路
２９…ＣＰＵ
３０…ＲＯＭ
３１…ＲＡＭ
３２…ＳＩＯ
３３…ＰＩＯ
３７…映像信号切替回路
４１…操作パネル
４４…キーボード
【図１】
2008149125.tif 000003
【図２】
2008149125.tif 000004
【図３】
2008149125.tif 000005
【図４】
2008149125.tif 000006
【図５】
2008149125.tif 000007
【図６】
2008149125.tif 000008
【図７】
2008149125.tif 000009
【図８】
2008149125.tif 000010
【図９】
2008149125.tif 000011
【図１０】
2008149125.tif 000012
【図１１】
2008149125.tif 000013
【図１２】
2008149125.tif 000014
【図１３】
2008149125.tif 000015
【図１４】
2008149125.tif 000016
【図１５】
2008149125.tif 000017
【図１６】
2008149125.tif 000018
【図１７】
2008149125.tif 000019
【図１８】
2008149125.tif 000020
【図１９】
2008149125.tif 000021
【図２０】
2008149125.tif 000022
【図２１】
2008149125.tif 000023
【図２２】
2008149125.tif 000024
【図２３】
2008149125.tif 000025
【図２４】
2008149125.tif 000026
【図２５】
2008149125.tif 000027
【図２６】
2008149125.tif 000028
【図２７】
2008149125.tif 000029
【図２８】
2008149125.tif 000030
【図２９】
2008149125.tif 000031
【図３０】
2008149125.tif 000032
【図３１】
2008149125.tif 000033
【図３２】
2008149125.tif 000034
【図３３】
2008149125.tif 000035
【図３４】
2008149125.tif 000036
【図３５】
2008149125.tif 000037
【図３６】
2008149125.tif 000038
【図３７】
2008149125.tif 000039
【図３８】
2008149125.tif 000040
【図３９】
2008149125.tif 000041
【図４０】
2008149125.tif 000042
【図４１】
2008149125.tif 000043
【図４２】
2008149125.tif 000044
【図４４】
2008149125.tif 000045
【図４５】
2008149125.tif 000046
【図４６】
2008149125.tif 000047
【図４７】
2008149125.tif 000048
【図４８】
2008149125.tif 000049
【図５０】
2008149125.tif 000050
【図５１】
2008149125.tif 000051
【図５３】
2008149125.tif 000052
【図５４】
2008149125.tif 000053
【図５６】
2008149125.tif 000054
【図５８】
2008149125.tif 000055
【図４３】
2008149125.tif 000056
【図４９】
2008149125.tif 000057
【図５２】
2008149125.tif 000058
【図５５】
2008149125.tif 000059
【図５７】
2008149125.tif 000060